(57)【要約】  本発明は、無線通信システムにおいて、端末がＰＤＳＣＨ（Ｐｈｙｓｉｃａｌ  Ｄｏｗｎｌｉｎｋ  Ｓｈａｒｅｄ  Ｃｈａｎｎｅｌ）を受信する方法を開示する。特に、この方法は、第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を受信して、前記第１の情報及び前記第２の情報に基づいて、前記第２のＢＷＰで前記ＰＤＳＣＨを受信することを特徴として、前記第２の情報によってスケジューリング可能な第１のＴＢの数が１であり、前記第２のＢＷＰのためにスケジューリング可能な第２のＴＢの数が２である場合、前記第２のＴＢのうち、２番目のＴＢに関する情報はディセーブル（Ｄｉｓａｂｌｅ）されることを特徴とする。
2020516101.tif 000002
【特許請求の範囲】
【請求項１】
無線通信システムにおいて、端末がＰＤＳＣＨ（Ｐｈｙｓｉｃａｌ  Ｄｏｗｎｌｉｎｋ  Ｓｈａｒｅｄ  Ｃｈａｎｎｅｌ）を受信する方法であって、
第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を受信して、
前記第１の情報及び前記第２の情報に基づいて、前記第２のＢＷＰで前記ＰＤＳＣＨを受信することを特徴として、
前記第２の情報によってスケジューリング可能な第１のＴＢの数が１であり、前記第２のＢＷＰのためにスケジューリング可能な第２のＴＢの数が２である場合、
前記第２のＴＢのうち、２番目のＴＢに関する情報はディセーブル（Ｄｉｓａｂｌｅ）される、ＰＤＳＣＨ受信方法。
【請求項２】
前記第２の情報は、ＴＢに関連するＭＣＳ（Ｍｏｄｕｌａｔｉｏｎ  ａｎｄ  Ｃｏｄｉｎｇ  Ｓｃｈｅｍｅ）、ＮＤＩ（Ｎｅｗ  ｄａｔａ  Ｉｎｄｉｃａｔｏｒ）及びＲＶ（Ｒｅｄｕｎｄａｎｃｙ  Ｖｅｒｓｉｏｎ）のためのビット集合（ｓｅｔ）である、請求項１に記載のＰＤＳＣＨ受信方法。
【請求項３】
前記２番目のＴＢに関する情報は、ゼロパディングされる、請求項１に記載のＰＤＳＣＨ受信方法。
【請求項４】
前記２番目のＴＢに関する情報は、無視（ｉｇｎｏｒｅ）される、請求項１に記載のＰＤＳＣＨ受信方法。
【請求項５】
前記第２のＢＷＰにおける送信設定指示（Ｔｒａｎｓｍｉｓｓｉｏｎ  Ｃｏｎｆｉｇｕｒａｔｉｏｎ  Ｉｎｄｉｃａｔｉｏｎ；ＴＣＩ）情報は、前記ＤＣＩに関するＴＣＩ情報と同一である、請求項１に記載のＰＤＳＣＨ受信方法。
【請求項６】
前記ＤＣＩに関するＴＣＩ情報は、
前記ＤＣＩに関するＣＯＲＥＳＥＴ（Ｃｏｎｔｒｏｌ  Ｒｅｓｏｕｒｃｅ  Ｓｅｔ）のためのＴＣＩ情報である、請求項５に記載のＰＤＳＣＨ受信方法。
【請求項７】
無線通信システムにおいて、ＰＤＳＣＨ（Ｐｈｙｓｉｃａｌ  Ｄｏｗｎｌｉｎｋ  Ｓｈａｒｅｄ  Ｃｈａｎｎｅｌ）を受信するための装置であって、
メモリ；及び
前記メモリと結合された少なくとも１つのプロセッサ；を含み、
前記少なくとも１つのプロセッサは、
第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を受信して、
前記第１の情報及び前記第２の情報に基づいて、前記第２のＢＷＰで前記ＰＤＳＣＨを受信するように制御することを特徴として、
前記第２の情報によってスケジューリング可能な第１のＴＢの数が１であり、前記第２のＢＷＰのためにスケジューリング可能な第２のＴＢの数が２である場合、
前記第２のＴＢのうち、２番目のＴＢに関する情報は、ディセーブル（Ｄｉｓａｂｌｅ）される、装置。
【請求項８】
前記第２の情報は、ＴＢに関連するＭＣＳ（Ｍｏｄｕｌａｔｉｏｎ  ａｎｄ  Ｃｏｄｉｎｇ  Ｓｃｈｅｍｅ）、ＮＤＩ（Ｎｅｗ  ｄａｔａ  Ｉｎｄｉｃａｔｏｒ）及びＲＶ（Ｒｅｄｕｎｄａｎｃｙ  Ｖｅｒｓｉｏｎ）のためのビット集合（ｓｅｔ）である、請求項７に記載の装置。
【請求項９】
前記２番目のＴＢに関する情報は、ゼロパディングされる、請求項７に記載の装置。
【請求項１０】
前記２番目のＴＢに関する情報は、無視（ｉｇｎｏｒｅ）される、請求項７に記載の装置。
【請求項１１】
前記第２のＢＷＰにおける送信設定指示（Ｔｒａｎｓｍｉｓｓｉｏｎ  Ｃｏｎｆｉｇｕｒａｔｉｏｎ  Ｉｎｄｉｃａｔｉｏｎ；ＴＣＩ）情報は、前記ＤＣＩに関するＴＣＩ情報と同一である、請求項７に記載の装置。
【請求項１２】
前記ＤＣＩに関するＴＣＩ情報は、
前記ＤＣＩに関するＣＯＲＥＳＥＴ（Ｃｏｎｔｒｏｌ  Ｒｅｓｏｕｒｃｅ  Ｓｅｔ）のためのＴＣＩ情報である、請求項１１に記載の装置。
【請求項１３】
無線通信システムにおいて、ＰＤＳＣＨ（Ｐｈｙｓｉｃａｌ  Ｄｏｗｎｌｉｎｋ  Ｓｈａｒｅｄ  Ｃｈａｎｎｅｌ）を受信するための端末であって、
トランシーバ；及び
前記トランシーバと結合された少なくとも１つのプロセッサ；を含み、
前記少なくとも１つのプロセッサは、
第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を受信するように前記トランシーバを制御して、
前記第１の情報及び前記第２の情報に基づいて、前記第２のＢＷＰで前記ＰＤＳＣＨを受信するように前記トランシーバを制御することを特徴として、
前記第２の情報によってスケジューリング可能な第１のＴＢの数が１であり、前記第２のＢＷＰのためにスケジューリング可能な第２のＴＢの数が２である場合、
前記第２のＴＢのうち、２番目のＴＢに関する情報は、ディセーブル（Ｄｉｓａｂｌｅ）される、端末。
【請求項１４】
無線通信システムにおいて、基地局がＰＤＳＣＨ（Ｐｈｙｓｉｃａｌ  Ｄｏｗｎｌｉｎｋ  Ｓｈａｒｅｄ  Ｃｈａｎｎｅｌ）を送信する方法であって、
第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を送信して、
前記第１の情報及び前記第２の情報に基づいて、前記第２のＢＷＰで前記ＰＤＳＣＨを送信することを特徴として、
前記第２の情報によってスケジューリング可能な第１のＴＢの数が１であり、前記第２のＢＷＰのためにスケジューリング可能な第２のＴＢの数が２である場合、
前記第２のＴＢのうち、２番目のＴＢに関する情報は、ディセーブル（Ｄｉｓａｂｌｅ）される、ＰＤＳＣＨ送信方法。
【請求項１５】
無線通信システムにおいて、ＰＤＳＣＨ（Ｐｈｙｓｉｃａｌ  Ｄｏｗｎｌｉｎｋ  Ｓｈａｒｅｄ  Ｃｈａｎｎｅｌ）を送信するための基地局であって、
トランシーバ；及び
前記トランシーバと結合された少なくとも１つのプロセッサ；を含み、
前記少なくとも１つのプロセッサは、
第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を送信するように前記トランシーバを制御して、
前記第１の情報及び前記第２の情報に基づいて、前記第２のＢＷＰで前記ＰＤＳＣＨを送信するように前記トランシーバを制御することを特徴として、
前記第２の情報によってスケジューリング可能な第１のＴＢの数が１であり、前記第２のＢＷＰのためにスケジューリング可能な第２のＴＢの数が２である場合、
前記第２のＴＢのうち、２番目のＴＢに関する情報は、ディセーブル（Ｄｉｓａｂｌｅ）される、基地局。
【発明の詳細な説明】
【技術分野】
【０００１】
本発明は、下りリンクデータチャネルを送受信する方法及びそのための装置に関し、より詳細には、変更前のＢＷＰ（Ｂａｎｄｗｉｄｔｈ  Ｐａｒｔ）で受信されたＤＣＩ（Ｄｏｗｎｌｉｎｋ  Ｃｏｎｔｒｏｌ  Ｉｎｆｏｒｍａｔｉｏｎ）が変更後のＢＷＰで受信されるＰＤＳＣＨ（Ｐｈｙｓｉｃａｌ  Ｄｏｗｎｌｉｎｋ  Ｓｈａｒｅｄ  Ｃｈａｎｎｅｌ）をスケジューリングするとき、ＰＤＳＣＨを送受信するためのＤＣＩ内に含まれた情報を解釈する方法及びそのための装置に関する。
【背景技術】
【０００２】
時代の流れによってより多くの通信装置がより大きな通信トラフィックを要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ  Ｍｏｂｉｌｅ  ＢｒｏａｄＢａｎｄ（ｅＭＢＢ）／Ｕｌｔｒａ−Ｒｅｌｉａｂｉｌｉｔｙ  ａｎｄ  Ｌｏｗ−Ｌａｔｅｎｃｙ  Ｃｏｍｍｕｎｉｃａｔｉｏｎ（ＵＲＬＬＣ）／Ｍａｓｓｉｖｅ  Ｍａｃｈｉｎｅ−ｔｙｐｅ  Ｃｏｍｍｕｎｉｃａｔｉｏｎｓ（ｍＭＴＣ）などに通信シナリオが区分される。
【０００３】
ここで、ｅＭＢＢはＨｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ＵＲＬＬＣはＵｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（ｅ.ｇ.，Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣはＬｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙの特性を有する次世代移動通信シナリオである（ｅ.ｇ.，ＩｏＴ）。
【発明の概要】
【発明が解決しようとする課題】
【０００４】
本発明は、下りリンクデータチャネルを送受信する方法及びそのための装置を提供しようとする。
【０００５】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００６】
本発明の実施例による無線通信システムにおいて、端末がＰＤＳＣＨ（Ｐｈｙｓｉｃａｌ  Ｄｏｗｎｌｉｎｋ  Ｓｈａｒｅｄ  Ｃｈａｎｎｅｌ）を受信する方法であって、第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を受信して、前記第１の情報及び前記第２の情報に基づいて、前記第２のＢＷＰで前記ＰＤＳＣＨを受信することを特徴として、前記第２の情報によってスケジューリング可能な第１のＴＢの数が１であり、前記第２のＢＷＰのためにスケジューリング可能な第２のＴＢの数が２である場合、前記第２のＴＢのうち、２番目のＴＢに関する情報はディセーブル（Ｄｉｓａｂｌｅ）される。
【０００７】
このとき、前記第２の情報は、ＴＢに関連するＭＣＳ（Ｍｏｄｕｌａｔｉｏｎ  ａｎｄ  Ｃｏｄｉｎｇ  Ｓｃｈｅｍｅ）、ＮＤＩ（Ｎｅｗ  ｄａｔａ  Ｉｎｄｉｃａｔｏｒ）及びＲＶ（Ｒｅｄｕｎｄａｎｃｙ  Ｖｅｒｓｉｏｎ）のためのビット集合（ｓｅｔ）である。
【０００８】
また、前記２番目のＴＢに関する情報は、ゼロパディングされる。
【０００９】
また、前記２番目のＴＢに関する情報は、無視（ｉｇｎｏｒｅ）される。
【００１０】
また、前記第２のＢＷＰにおける送信設定指示（Ｔｒａｎｓｍｉｓｓｉｏｎ  Ｃｏｎｆｉｇｕｒａｔｉｏｎ  Ｉｎｄｉｃａｔｉｏｎ；ＴＣＩ）情報は、前記ＤＣＩに関するＴＣＩ情報と同一である。
【００１１】
また、前記ＤＣＩに関するＴＣＩ情報は、前記ＤＣＩに関するＣＯＲＥＳＥＴ（Ｃｏｎｔｒｏｌ  Ｒｅｓｏｕｒｃｅ  Ｓｅｔ）のためのＴＣＩ情報である。
【００１２】
本発明による無線通信システムにおいて、ＰＤＳＣＨ（Ｐｈｙｓｉｃａｌ  Ｄｏｗｎｌｉｎｋ  Ｓｈａｒｅｄ  Ｃｈａｎｎｅｌ）を受信するための装置であって、メモリ；及び前記メモリと結合された少なくとも１つのプロセッサ；を含み、前記少なくとも１つのプロセッサは、第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を受信して、前記第１の情報及び前記第２の情報に基づいて、前記第２のＢＷＰで前記ＰＤＳＣＨを受信するように制御することを特徴として、前記第２の情報によってスケジューリング可能な第１のＴＢの数が１であり、前記第２のＢＷＰのためにスケジューリング可能な第２のＴＢの数が２である場合、前記第２のＴＢのうち、２番目のＴＢに関する情報は、ディセーブル（Ｄｉｓａｂｌｅ）される。
【００１３】
このとき、前記第２の情報は、ＴＢに関連するＭＣＳ（Ｍｏｄｕｌａｔｉｏｎ  ａｎｄ  Ｃｏｄｉｎｇ  Ｓｃｈｅｍｅ）、ＮＤＩ（Ｎｅｗ  ｄａｔａ  Ｉｎｄｉｃａｔｏｒ）及びＲＶ（Ｒｅｄｕｎｄａｎｃｙ  Ｖｅｒｓｉｏｎ）のためのビット集合（ｓｅｔ）である。
【００１４】
また、前記２番目のＴＢに関する情報は、ゼロパディングされる。
【００１５】
また、前記２番目のＴＢに関する情報は、無視（ｉｇｎｏｒｅ）される。
【００１６】
また、前記第２のＢＷＰにおける送信設定指示（Ｔｒａｎｓｍｉｓｓｉｏｎ  Ｃｏｎｆｉｇｕｒａｔｉｏｎ  Ｉｎｄｉｃａｔｉｏｎ；ＴＣＩ）情報は、前記ＤＣＩに関するＴＣＩ情報と同一である。
【００１７】
また、前記ＤＣＩに関するＴＣＩ情報は、前記ＤＣＩに関するＣＯＲＥＳＥＴ（Ｃｏｎｔｒｏｌ  Ｒｅｓｏｕｒｃｅ  Ｓｅｔ）のためのＴＣＩ情報である。
【００１８】
本発明による無線通信システムにおいて、ＰＤＳＣＨ（Ｐｈｙｓｉｃａｌ  Ｄｏｗｎｌｉｎｋ  Ｓｈａｒｅｄ  Ｃｈａｎｎｅｌ）を受信するための端末であって、トランシーバ；及び前記トランシーバと結合された少なくとも１つのプロセッサ；を含み、前記少なくとも１つのプロセッサは、第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を受信するように前記トランシーバを制御して、前記第１の情報及び前記第２の情報に基づいて、前記第２のＢＷＰで前記ＰＤＳＣＨを受信するように前記トランシーバを制御することを特徴として、前記第２の情報によってスケジューリング可能な第１のＴＢの数が１であり、前記第２のＢＷＰのためにスケジューリング可能な第２のＴＢの数が２である場合、前記第２のＴＢのうち、２番目のＴＢに関する情報は、ディセーブル（Ｄｉｓａｂｌｅ）される。
【００１９】
本発明の実施例による無線通信システムにおいて、基地局がＰＤＳＣＨ（Ｐｈｙｓｉｃａｌ  Ｄｏｗｎｌｉｎｋ  Ｓｈａｒｅｄ  Ｃｈａｎｎｅｌ）を送信する方法であって、第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を送信して、前記第１の情報及び前記第２の情報に基づいて、前記第２のＢＷＰで前記ＰＤＳＣＨを送信することを特徴として、前記第２の情報によってスケジューリング可能な第１のＴＢの数が１であり、前記第２のＢＷＰのためにスケジューリング可能な第２のＴＢの数が２である場合、前記第２のＴＢのうち、２番目のＴＢに関する情報は、ディセーブル（Ｄｉｓａｂｌｅ）される。
【００２０】
本発明による無線通信システムにおいて、ＰＤＳＣＨ（Ｐｈｙｓｉｃａｌ  Ｄｏｗｎｌｉｎｋ  Ｓｈａｒｅｄ  Ｃｈａｎｎｅｌ）を送信するための基地局であって、トランシーバ；及び前記トランシーバと結合された少なくとも１つのプロセッサ；を含み、前記少なくとも１つのプロセッサは、第１のＢＷＰ（Ｂａｎｄｗｉｄｔｈ  Ｐａｒｔ）において、活性（Ａｃｔｉｖｅ）ＢＷＰを前記第１のＢＷＰから第２のＢＷＰに変更するための第１の情報、及び前記ＰＤＳＣＨのための少なくとも１個の送信ブロック（Ｔｒａｎｓｍｉｓｓｉｏｎ  Ｂｌｏｃｋ；ＴＢ）に関する第２の情報を含むＤＣＩ（Ｄｏｗｎｌｉｎｋ  Ｃｏｎｔｒｏｌ  Ｉｎｆｏｒｍａｔｉｏｎ）を送信するように前記トランシーバを制御して、前記第１の情報及び前記第２の情報に基づいて、前記第２のＢＷＰで前記ＰＤＳＣＨを送信するように前記トランシーバを制御することを特徴として、前記第２の情報によってスケジューリング可能な第１のＴＢの数が１であり、前記第２のＢＷＰのためにスケジューリング可能な第２のＴＢの数が２である場合、前記第２のＴＢのうち、２番目のＴＢに関する情報は、ディセーブル（Ｄｉｓａｂｌｅ）される。
【発明の効果】
【００２１】
本発明によれば、変更前のＢＷＰ（Ｂａｎｄｗｉｄｔｈ  Ｐａｒｔ）と変更後のＢＷＰに関する設定が異なる場合でも、曖昧性（ａｍｂｉｇｕｉｔｙ）なく、安定して下りリンクデータチャネルを送受信することができる。
【００２２】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００２３】
【図１】３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図２】３ＧＰＰシステムに用いられる物理チャネル及びこれらを用いた一般的な信号送信方法を説明する図である。
【図３】ＮＲシステムにおいて用いられる無線フレーム及びスロットの構造を説明するための図である。
【図４】ＮＲシステムにおいて用いられる無線フレーム及びスロットの構造を説明するための図である。
【図５】ＮＲシステムにおいて用いられる無線フレーム及びスロットの構造を説明するための図である。
【図６】送受信器ユニット（ｔｒａｎｓｃｅｉｖｅｒ  ｕｎｉｔ，ＴＸＲＵ）及び物理的アンテナの観点からハイブリッドビームフォーミングの構造を簡単に示す図である。
【図７】下りリンクの送信過程において同期信号とシステム情報に関するビームスイーピング（Ｂｅａｍ  Ｓｗｅｅｐｉｎｇ）動作を示す図である。
【図８】新たな無線接続技術（ｎｅｗ  ｒａｄｉｏ  ａｃｃｅｓｓ  ｔｅｃｈｎｏｌｏｇｙ，ＮＲ）システムのセルを例示する図である。
【図９】ＮＲシステムにおけるＨＡＲＱ−ＡＣＫタイミングについて説明する図である。
【図１０】ＮＲシステムにおいてコードブロックグループ（Ｃｏｄｅ  Ｂｌｏｃｋ  Ｇｒｏｕｐ；ＣＢＧ）単位のＨＡＲＱ−ＡＣＫ送信を説明する図である。
【図１１】ＮＲシステムにおいてコードブロックグループ（Ｃｏｄｅ  Ｂｌｏｃｋ    Ｇｒｏｕｐ；ＣＢＧ）単位のＨＡＲＱ−ＡＣＫ送信を説明する図である。
【図１２】搬送波集成（Ｃａｒｒｉｅｒ  Ａｇｇｒｅｇａｔｉｏｎ；ＣＡ）におけるＨＡＲＱ−ＡＣＫ送信を説明する図である。
【図１３】搬送波集成（Ｃａｒｒｉｅｒ  Ａｇｇｒｅｇａｔｉｏｎ；ＣＡ）におけるＨＡＲＱ−ＡＣＫ送信を説明する図である。
【図１４】搬送波集成（Ｃａｒｒｉｅｒ  Ａｇｇｒｅｇａｔｉｏｎ；ＣＡ）におけるＨＡＲＱ−ＡＣＫ送信を説明する図である。
【図１５】本発明の実施例によるＨＡＲＱ−ＡＣＫを送受信するための端末、基地局及びネットワーク観点での動作を説明する図である。
【図１６】本発明の実施例によるＨＡＲＱ−ＡＣＫを送受信するための端末、基地局及びネットワーク観点での動作を説明する図である。
【図１７】本発明の実施例によるＨＡＲＱ−ＡＣＫを送受信するための端末、基地局及びネットワーク観点での動作を説明する図である。
【図１８】本発明によって、ＤＣＩがＰＤＳＣＨをスケジューリングする実施例を説明するための図である。
【図１９】本発明の実施例によって、ＰＤＳＣＨを送受信するための端末、基地局及びネットワークの観点からの動作を説明するための図である。
【図２０】本発明の実施例によって、ＰＤＳＣＨを送受信するための端末、基地局及びネットワークの観点からの動作を説明するための図である。
【図２１】本発明の実施例によって、ＰＤＳＣＨを送受信するための端末、基地局及びネットワークの観点からの動作を説明するための図である。
【図２２】本発明を実行する無線装置の構成要素を示すブロック図である。
【発明を実施するための形態】
【００２４】
以下、添付図面を参照しながら説明する本発明の実施例によって本発明の構成、作用及び他の特徴をより容易に理解できるであろう。以下の実施例は本発明の技術的特徴が３ＧＰＰシステムに適用された例である。
【００２５】
この明細書では、ＬＴＥシステム、ＬＴＥ−Ａシステム及びＮＲシステムを用いて本発明の実施例を説明しているが、これは一例であり、本発明の実施例は上記定義に該当するいかなる通信システムにも適用することができる。
【００２６】
また、この明細書では、基地局の名称がＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継器（ｒｅｌａｙ）などの包括的な用語で使用されている。
【００２７】
３ＧＰＰ基盤の通信標準は、上位層から生じる情報を運ぶリソース要素に対応する下りリンク物理チャネルと、物理層によって用いられるが、上位層から生じる情報を搬送しないリソース要素に対応する下りリンク物理信号を定義する。例えば、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、物理ブロードキャストチャネル（ｐｈｙｓｉｃａｌ  ｂｒｏａｄｃａｓｔ  ｃｈａｎｎｅｌ、ＰＢＣＨ）、物理マルチキャストチャネル（ｐｈｙｓｉｃａｌ  ｍｕｌｔｉｃａｓｔ  ｃｈａｎｎｅｌ、ＰＭＣＨ）、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）、物理下りリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）及び物理ハイブリッドＡＲＱ指示子チャネル（ｐｈｙｓｉｃａｌ  ｈｙｂｒｉｄ  ＡＲＱ  ｉｎｄｉｃａｔｏｒ  ｃｈａｎｎｅｌ、ＰＨＩＣＨ）が下りリンク物理チャネルとして定義されており、参照信号と同期信号が下りリンク物理信号として定義されている。パイロット（ｐｉｌｏｔ）とも呼ばれる参照信号（ｒｅｆｅｒｅｎｃｅ  ｓｉｇｎａｌ、ＲＳ）は、ｇＮＢとＵＥが互いに知っている既に定義された特別な波形の信号を意味するが、例えば、セル特定的ＲＳ（ｃｅｌｌ  ｓｐｅｃｉｆｉｃ  ＲＳ）、ＵＥ−特定的ＲＳ（ＵＥ−ｓｐｅｃｉｆｉｃ  ＲＳ、ＵＥ−ＲＳ）、ポジショニングＲＳ（ｐｏｓｉｔｉｏｎｉｎｇ  ＲＳ、ＰＲＳ）及びチャネル状態情報ＲＳ（ｃｈａｎｎｅｌ  ｓｔａｔｅ  ｉｎｆｏｒｍａｔｉｏｎ  ＲＳ、ＣＳＩ−ＲＳ）が下りリンク参照信号として定義される。３ＧＰＰ  ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号を定義している。例えば、物理上りリンク共有チャネル（ｐｈｙｓｉｃａｌ  ｕｐｌｉｎｋ  ｓｈａｒｅｄ  ｃｈａｎｎｅｌ、ＰＵＳＣＨ）、物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、物理任意接続チャネル（ｐｈｙｓｉｃａｌ  ｒａｎｄｏｍ  ａｃｃｅｓｓ  ｃｈａｎｎｅｌ、ＰＲＡＣＨ）が上りリンク物理チャネルとして定義され、上りリンク制御／データ信号のための復調参照信号（ｄｅｍｏｄｕｌａｔｉｏｎ  ｒｅｆｅｒｅｎｃｅ  ｓｉｇｎａｌ、ＤＭＲＳ）と上りリンクチャネル測定に用いられるサウンディング参照信号（ｓｏｕｎｄｉｎｇ  ｒｅｆｅｒｅｎｃｅ  ｓｉｇｎａｌ、ＳＲＳ）が定義される。
【００２８】
本発明で、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを搬送する時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（ｒｅｓｏｕｒｃｅ  ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／任意接続信号を送信することと同じ意味で使われる。また、ｇＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００２９】
以下では、ＣＲＳ／ＤＭＲＳ／ＣＳＩ−ＲＳ／ＳＲＳ／ＵＥ−ＲＳが割り当てられた或いは設定された（ｃｏｎｆｉｇｕｒｅｄ）ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ（ｔｒａｃｋｉｎｇ  ＲＳ、ＴＲＳ）が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された（ｃｏｎｆｉｇｕｒｅｄ）サブフレームを、ＴＲＳサブフレームと称する。また、ブロードキャスト信号が送信されるサブフレームを、ブロードキャストサブフレーム或いはＰＢＣＨサブフレームと称し、同期信号（例えば、ＰＳＳ及び／又はＳＳＳ）が送信されるサブフレームを、同期信号サブフレーム或いはＰＳＳ／ＳＳＳサブフレームと称する。ＰＳＳ／ＳＳＳが割り当てられた或いは設定された（ｃｏｎｆｉｇｕｒｅｄ）ＯＦＤＭシンボル／副搬送波／ＲＥをそれぞれ、ＰＳＳ／ＳＳＳシンボル／副搬送波／ＲＥと称する。
【００３０】
本発明で、ＣＲＳポート、ＵＥ−ＲＳポート、ＣＳＩ−ＲＳポート、ＴＲＳポートとは、それぞれ、ＣＲＳを送信するように設定された（ｃｏｎｆｉｇｕｒｅｄ）アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された（ｃｏｎｆｉｇｕｒｅｄ）アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。従って、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００３１】
図１は３ＧＰＰ無線接続網の規格に基づく端末とＥ−ＵＴＲＡＮの間の無線インターフェースプロトコルの制御プレーン（ｃｏｎｔｒｏｌ  ｐｌａｎｅ）及びユーザプレーン（ｕｓｅｒ  ｐｌａｎｅ）の構造を示す図である。制御プレーンは端末（Ｕｓｅｒ  Ｅｑｕｉｐｍｅｎｔ；ＵＥ）とネットワークが信号を管理するために用いる制御メッセージが送信される通路を意味する。ユーザプレーンはアプリケーション層で生成されたデータ、例えば、音声データ又はインターネットパケットデータなどが送信される通路を意味する。
【００３２】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して連結される。この送信チャネルを介して媒体接続制御層と物理層の間でデータが移動する。送信側と受信側の物理層の間では物理チャネルを介してデータが移動する。物理チャネルは時間と周波数を無線リソースとして活用する。具体的には、物理チャネルは、下りリンクにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいては、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３３】
第２の層である媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は信頼性のあるデータ送信を支援する。ＲＬＣ層の機能はＭＡＣ内部の機能ブロックにより具現できる。第２の層のＰＤＣＰ層は帯域幅が狭い無線インターフェースにおいてＩＰｖ４或いはＩＰｖ６のようなＩＰパケットを効率的に送信するために不要な制御情報を減らすヘッダ圧縮（Ｈｅａｄｅｒ  Ｃｏｍｐｒｅｓｓｉｏｎ）の機能を果たす。
【００３４】
第３の層である最下部に位置する無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は無線ベアラ（Ｒａｄｉｏ  Ｂｅａｒｅｒ）の設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）に関連して論理チャネル、送信チャネル及び物理チャネルの制御を担当する。無線ベアラは端末とネットワークの間のデータ伝達のために第２の層により提供されるサービスを意味する。このために、端末とネットワークのＲＲＣ層は互いにＲＲＣメッセージを交換する。端末とネットワークのＲＲＣ層の間にＲＲＣ連結（ＲＲＣ  Ｃｏｎｎｅｃｔｅｄ）がある場合、端末はＲＲＣ連結状態（Ｃｏｎｎｅｃｔｅｄ  Ｍｏｄｅ）であり、そうではない場合はＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３５】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信され、又は特の下りＭＣＨ（Ｍｕｌｔｉｃａｓｔ  Ｃｈａｎｎｅｌ）を介して送信されることができる。なお、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位にありかつ送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３６】
図２は３ＧＰＰシステムに用いられる物理チャネル及びこれらを用いた一般的な信号送信方法を説明する図である。
【００３７】
端末は、電源がオンになったり新たにセルに進入した場合は、基地局と同期を合わせるなどの初期セル探索（Ｉｎｉｔｉａｌ  ｃｅｌｌ  ｓｅａｒｃｈ）作業を行う（Ｓ２０１）。このために、端末は基地局から主同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信することによって基地局と同期を合わせ、セルＩＤなどの情報を得ることができる。その後、端末は基地局から物理放送チャネル（Ｐｈｙｓｉｃａｌ  Ｂｒｏａｄｃａｓｔ  Ｃｈａｎｎｅｌ）を受信してセル内の放送情報を得ることができる。なお、端末は初期セル探索段階において下りリンク参照信号（Ｄｏｗｎｌｉｎｋ  Ｒｅｆｅｒｅｎｃｅ  Ｓｉｇｎａｌ；ＤＬ  ＲＳ）を受信して下りリンクチャネル状態を確認することができる。
【００３８】
初期セル探索を終了した端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに載せられた情報によって物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を得ることができる（Ｓ２０２）。
【００３９】
一方、基地局に最初に接続したか或いは信号送信のための無線リソースがない場合は、端末は、基地局に対して任意接続過程（Ｒａｎｄｏｍ  Ａｃｃｅｓｓ  Ｐｒｏｃｅｄｕｒｅ；ＲＡＣＨ）を行うことができる（段階Ｓ２０３〜段階Ｓ２０６）。このために、端末は、物理任意接続チャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ２０３及びＳ２０５）、ＰＤＣＣＨ及び対応するＰＤＳＣＨを介してプリアンブルに対する応答メッセージを受信することができる（Ｓ２０４及びＳ２０６）。競争基盤のＲＡＣＨの場合、さらに衝突解決手順（Ｃｏｎｔｅｎｔｉｏｎ  Ｒｅｓｏｌｕｔｉｏｎ  Ｐｒｏｃｅｄｕｒｅ）を行うことができる。
【００４０】
上述した手順を行った端末は、その後、一般的な上り／下りリンク信号送信の手順として、ＰＤＣＣＨ／ＰＤＳＣＨ受信（Ｓ２０７）及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の送信（Ｓ２０８）を行う。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報などの制御情報を含み、その使用目的に応じてフォーマットが互いに異なる。
【００４１】
一方、端末が上りリンクを通じて基地局に送信したり、端末が基地局から受信したりする制御情報は、下り／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、端末は上述したＣＱＩ／ＰＭＩ／ＲＩなどの制御情報をＰＵＳＣＨ及び／又はＰＵＣＣＨを介して送信することができる。
【００４２】
図３はＮＲにおいて使用される無線フレームの構造を例示している。
【００４３】
ＮＲにおいて、上りリンク及び下りリンク送信はフレームで構成される。無線フレームは１０ｍｓの長さを有し、２つの５ｍｓハーフフレーム（Ｈａｌｆ−Ｆｒａｍｅ、ＨＦ）と定義される。ハーフフレームは５つの１ｍｓサブフレーム（Ｓｕｂｆｒａｍｅ、ＳＦ）と定義される。サブフレームは１つ以上のスロットに分割され、サブフレーム内のスロット数はＳＣＳ（Ｓｕｂｃａｒｒｉｅｒ  Ｓｐａｃｉｎｇ）に依存する。各スロットはＣＰ（ｃｙｃｌｉｃ  ｐｒｅｆｉｘ）によって１２つ又は１４つのＯＦＤＭ（Ａ）シンボルを含む。一般ＣＰが使用される場合、各スロットは１４つのシンボルを含む。拡張ＣＰが使用される場合は、各スロットは１２つのシンボルを含む。ここで、シンボルはＯＦＤＭシンボル（或いは、ＣＰ−ＯＦＤＭシンボル）、ＳＣ−ＦＤＭＡシンボル（或いは、ＤＦＴ−ｓ−ＯＦＤＭシンボル）を含むことができる。
【００４４】
表１は一般ＣＰが使用される場合、ＳＣＳによってスロットごとのシンボル数、フレームごとのスロット数とサブフレームごとのスロット数が変化することを例示している。
【００４５】
【表１】
2020516101.tif 000003
【００４６】
＊Ｎslotsymb:スロット内のシンボル数、＊Ｎframe,uslot:フレーム内のスロット数
【００４７】
＊Ｎsubframe,uslot:サブフレーム内のスロット数
【００４８】
表２は拡張ＣＰが使用される場合、ＳＣＳによってスロットごとのシンボル数、フレームごとのスロット数とサブフレームごとのスロット数が変化することを例示している。
【００４９】
【表２】
2020516101.tif 000004
【００５０】
ＮＲシステムでは１つの端末に併合される複数のセル間でＯＦＤＭ（Ａ）ニューマロロジー（ｎｕｍｅｒｏｌｏｇｙ）（例えば、ＳＣＳ、ＣＰ長さなど）が異なるように設定されることができる。これにより、同じ数のシンボルで構成された時間リソース（例えば、ＳＦ、スロット又はＴＴＩ）（便宜上、ＴＵ（Ｔｉｍｅ  Ｕｎｉｔ）と通称）の（絶対時間）区間が併合されたセル間で異なるように設定されることができる。図４はＮＲフレームのスロット構造を例示している。スロットは時間ドメインで複数のシンボルを含む。例えば、一般ＣＰの場合、１つのスロットが７つのシンボルを含むが、拡張ＣＰの場合は、１つのスロットが６つのシンボルを含む。搬送波は周波数ドメインで複数の副搬送波を含む。ＲＢ（Ｒｅｓｏｕｒｃｅ  Ｂｌｏｃｋ）は周波数ドメインで複数（例えば、１２）の連続する副搬送波と定義される。ＢＷＰは周波数ドメインで複数の連続する（Ｐ）ＲＢと定義され、１つのニューマロロジー（ｎｕｍｅｒｏｌｏｇｙ）（例えば、ＳＣＳ、ＣＰ長さなど）に対応することができる。搬送波は最大Ｎ個（例えば、５つ）のＢＷＰを含む。データ通信は活性化されたＢＷＰで行われ、１つの端末には１つのＢＷＰのみが活性化される。リソースグリッドにおいて各々の要素はリソース要素（Ｒｅｓｏｕｒｃｅ  Ｅｌｅｍｅｎｔ、ＲＥ）と称され、１つの複素シンボルがマッピングされることができる。
【００５１】
図５は自己完備型（Ｓｅｌｆ−ｃｏｎｔａｉｎｅｄ）スロットの構造を例示している。ＮＲシステムにおいて、フレームは１つのスロット内にＤＬ制御チャネル、ＤＬ又はＵＬデータ、ＵＬ制御チャネルなどを全て含むことができる自己完備型構造を特徴とする。例えば、スロット内の最初のＮ個のシンボルは、ＤＬ制御チャネルを送信する時に使用され（以下、ＤＬ制御領域）、スロット内の最後のＭ個のシンボルはＵＬ制御チャネルを送信する時に使用される（以下、ＵＬ制御領域）。ＮとＭは各々０以上の整数である。ＤＬ制御領域とＵＬ制御領域の間におけるリソース領域（以下、データ領域）は、ＤＬデータ送信のために使用されるか、又はＵＬデータ送信のために使用される。一例として、以下の構成を考慮できる。各区間は時間順である。
【００５２】
１．ＤＬのみの構成
【００５３】
２．ＵＬのみの構成
【００５４】
３．混合ＵＬ−ＤＬの構成
【００５５】
−ＤＬ領域＋ＧＰ（Ｇｕａｒｄ  Ｐｅｒｉｏｄ）＋ＵＬ制御領域
【００５６】
−ＤＬ制御領域＋ＧＰ＋ＵＬ領域
【００５７】
＊ＤＬ領域:（i）ＤＬデータ領域、（ii）ＤＬ制御領域＋ＤＬデータ領域
【００５８】
＊ＵＬ領域:（i）ＵＬデータ領域、（ii）ＵＬデータ領域＋ＵＬ制御領域
【００５９】
ＤＬ制御領域ではＰＤＣＣＨが送信され、ＤＬデータ領域ではＰＤＳＣＨが送信されることができる。ＵＬ制御領域ではＰＵＣＣＨが送信され、ＵＬデータ領域ではＰＵＳＣＨが送信されることができる。ＰＤＣＣＨではＤＣＩ（Ｄｏｗｎｌｉｎｋ  Ｃｏｎｔｒｏｌ  Ｉｎｆｏｒｍａｔｉｏｎ）、例えば、ＤＬデータスケジューリング情報、ＵＬデータスケジューリング情報などが送信される。ＰＵＣＣＨではＵＣＩ（Ｕｐｌｉｎｋ  Ｃｏｎｔｒｏｌ  Ｉｎｆｏｒｍａｔｉｏｎ）、例えば、ＤＬデータに対するＡＣＫ／ＮＡＣＫ（Ｐｏｓｉｔｉｖｅ  Ａｃｋｎｏｗｌｅｄｇｅｍｅｎｔ／Ｎｅｇａｔｉｖｅ  Ａｃｋｎｏｗｌｅｄｇｅｍｅｎｔ）情報、ＣＳＩ（Ｃｈａｎｎｅｌ  Ｓｔａｔｅ  Ｉｎｆｏｒｍａｔｉｏｎ）情報、ＳＲ（Ｓｃｈｅｄｕｌｉｎｇ  Ｒｅｑｕｅｓｔ）などが送信される。ＧＰは基地局と端末が送信モードから受信モードに転換する過程又は受信モードから送信モードに転換する過程で時間ギャップを提供する。サブフレーム内でＤＬからＵＬに転換する時点の一部のシンボルがＧＰとして設定されることができる。
【００６０】
なお、ＮＲシステムは広い周波数帯域を用いて多数のユーザに高い送信率を維持しながらデータを送信するために高い超高周波帯域、即ち、６ＧＨｚ以上のミリメートル周波数帯域を用いる方案を考慮している。３ＧＰＰではこれをＮＲと称しており、以下本発明ではＮＲシステムと称する。しかし、ミリメートル周波数帯域は非常に高い周波数帯域を用いるため、距離による信号減殺が急激であるという周波数特性を有する。従って、少なくとも６ＧＨｚ以上の帯域を使用するＮＲシステムでは、急激な電波減殺特性を補償するために、信号送信を全方向ではなく特定の方向にエネルギーを集めて送信することにより、急激な電波減殺によるカバレッジ減少の問題を解決する狭ビーム（ｎａｒｒｏｗ  ｂｅａｍ）送信技法を使用している。しかし、１つの狭ビームのみでサービスする場合、１つの基地局がサービスを提供する範囲が狭くなるので、基地局は多数の狭ビームを集めて広帯域にサービスを提供する。
【００６１】
ミリメートル周波数帯域、即ち、ミリメートル波長（ｍｉｌｌｉｍｅｔｅｒ  ｗａｖｅ、ｍｍＷ）では波長が短くなって、同じ面積に多数のアンテナ要素を設けることが可能になる。例えば、１ｃｍ程度の波長を有する３０ＧＨｚ帯域においては５ｂｙ５ｃｍのパネルに０.５λ（波長）間隔で２次元配列形態で総１００個のアンテナ要素を設けることができる。よって、ｍｍＷでは、多数のアンテナ要素を使用してビームフォーミング利得を高めてカバレッジを増加させるか、或いは処理量（ｔｈｒｏｕｇｈｐｕｔ）を高めることが考えられる。
【００６２】
ミリメートル周波数帯域において狭ビームを形成する方法として、基地局やＵＥから多数のアンテナに適切な位相差を用いて同じ信号を送信することにより、特定の方向でのみエネルギーが高くなるビームフォーミング方式が主に考えられている。このようなビームフォーミング方式には、デジタル基底帯域（ｂａｓｅｂａｎｄ）信号に位相差を形成するデジタルビームフォーミング、変調されたアナログ信号に時間遅延（即ち、循環遷移）を用いて位相差を形成するアナログビームフォーミング、デジタルビームフォーミングとアナログビームフォーミングを全て利用するハイブリッドビームフォーミングなどがある。アンテナ要素ごとに送信パワー及び位相調節ができるようにトランシーバユニット（ｔｒａｎｓｃｅｉｖｅｒ  ｕｎｉｔ、ＴＸＲＵ）を有すると、周波数リソースごとに独立したビームフォーミングが可能になる。しかし、１００余個の全てのアンテナ要素にＴＸＲＵを設けることは費用面で実効性が乏しい。即ち、ミリメートル周波数帯域は急激な電波減殺特性を補償するために多数のアンテナを使用する必要があり、デジタルビームフォーミングはアンテナ数ほどのＲＦコンポーネント（例えば、デジタルアナログコンバータ（ＤＡＣ）、ミキサー（ｍｉｘｅｒ）、電力増幅器（ｐｏｗｅｒ  ａｍｐｌｉｆｉｅｒ）、線形増幅器（ｌｉｎｅａｒ  ａｍｐｌｉｆｉｅｒ）など）を必要とするので、ミリメートル周波数帯域においてデジタルビームフォーミングを具現するためには通信機器の単価が上がる問題がある。従って、ミリメートル周波数帯域のようにアンテナが多く必要な場合には、アナログビームフォーミング又はハイブリッドビームフォーミング方式が考慮される。アナログビームフォーミング方式は、１つのＴＸＲＵに多数のアンテナ要素をマッピングし、アナログ位相遷移器（ａｎａｌｏｇ  ｐｈａｓｅ  ｓｈｉｆｔｅｒ）でビームの方向を調節する。かかるアナログビームフォーミング方式は全体帯域において１つのビーム方向のみを形成するので、周波数選択的ビームフォーミング（ｂｅａｍｆｏｒｍｉｎｇ、ＢＦ）ができない短所がある。ハイブリッドＢＦはデジタルＢＦとアナログＢＦの中間形態であって、Ｑ個のアンテナ要素より少ない数であるＢ個のＴＸＲＵを有する方式である。ハイブリッドＢＦの場合、Ｂ個のＴＸＲＵとＱ個のアンテナ要素の連結方式によって差はあるが、同時に送信可能なビームの方向はＢ個以下に制限される。
【００６３】
上述したように、デジタルビームフォーミングは、送信又は受信デジタルの基底帯域信号に対して信号処理を行うので、多重ビームを用いて同時に複数の方向に信号を送信又は受信できる反面、アナログビームフォーミングは、送信又は受信アナログ信号を変調した状態でビームフォーミングを行うので、１つのビームがカバーする範囲を超える複数の方向に信号を同時に送信又は受信することができない。通常、基地局は広帯域送信又は多重アンテナ特性を用いて同時に多数のユーザと通信を行うが、基地局がアナログ又はハイブリッドビームフォーミングを使用し、１つのビーム方向にアナログビームを形成する場合には、アナログビームフォーミングの特性上、同じアナログビーム方向内に含まれるユーザとのみ通信が可能である。後述する本発明によるＲＡＣＨリソース割り当て及び基地局のリソース活用方案は、アナログビームフォーミング又はハイブリッドビームフォーミングの特性により発生する制約事項を反映して提案される。
【００６４】
図６は送受信器ユニット（ｔｒａｎｓｃｅｉｖｅｒ  ｕｎｉｔ、ＴＸＲＵ）及び物理的アンテナの観点でハイブリッドビームフォーミングの構造を抽象的に示す図である。
【００６５】
複数のアンテナが使用される場合、デジタルビームフォーミング及びアナログビームフォーミングを結合したハイブリッドビームフォーミング技法が考えられている。この時、アナログビームフォーミング（又はＲＦビームフォーミング）は、ＲＦユニットがプリコーディング（又は組み合わせ（ｃｏｍｂｉｎｉｎｇ））を行う動作を意味する。ハイブリッドビームフォーミングにおいて、基底帯域（ｂａｓｅｂａｎｄ）ユニットとＲＦユニットは各々プリコーティング（又は組み合わせ）を行い、これによりＲＦチェーンの数とＤ／Ａ（又はＡ／Ｄ）コンバーターの数を減らしながらデジタルビームフォーミングに近接する性能を得られるという長所がある。説明の便宜上、ハイブリッドビームフォーミングの構造は、Ｎ個のＴＸＲＵとＭ個の物理的アンテナで表すことができる。この時、送信端から送信するＬ個のデータレイヤに対するデジタルビームフォーミングは、Ｌ−ｂｙ−Ｌ行列で表され、その後、変換されたＮ個のデジタル信号はＴＸＲＵを介してアナログ信号に変換され、変換された信号に対してＭ−ｂｙ−Ｎ行列で表されるアナログビームフォーミングが適用される。図６において、デジタルビームの数はＬであり、アナログビームの数はＮである。さらに、ＮＲシステムにおいては、アナログビームフォーミングをシンボル単位で変更できるように基地局を設計して、特定の地域に位置したＵＥに効率的なビームフォーミングを支援する方向が考えられている。また、Ｎ個のＴＸＲＵとＭ個のＲＦアンテナを１つのアンテナパネルと定義した時、ＮＲシステムにおいては、互いに独立したハイブリッドビームフォーミングが適用可能な複数のアンテナパネルを導入する方案も考えられている。以上のように基地局が複数のアナログビームを活用する場合、ＵＥごとに信号の受信に有利なアナログビームが異なるので、少なくとも同期信号、システム情報、ページング（ｐａｇｉｎｇ）などについては、特定のスロット又はサブフレームにおいて基地局が適用する複数のアナログビームをシンボルごとに変化させて全てのＵＥが受信機会を有するようにするビームスイーピング（ｂｅａｍ  ｓｗｅｅｐｉｎｇ）動作が考えられている。
【００６６】
図７は下りリンクの送信過程において同期信号とシステム情報に対するビームスイーピング（Ｂｅａｍ  ｓｗｅｅｐｉｎｇ）動作を示す図である。図７において、Ｎｅｗ  ＲＡＴシステムのシステム情報が放送（Ｂｒｏａｄｃａｓｔｉｎｇ）される物理的リソース又は物理チャネルをｘＰＢＣＨ（ｐｈｙｓｉｃａｌ  ｂｒｏａｄｃａｓｔ  ｃｈａｎｎｅｌ）と称する。この時、１つのシンボル内において互いに異なるアンテナパネルに属するアナログビーム（Ａｎａｌｏｇ  ｂｅａｍ）が同時に送信されることができ、アナログビーム（Ａｎａｌｏｇ  ｂｅａｍ）ごとにチャネルを測定するために、図７に示したように、特定のアンテナパネルに対応する単一のアナログビーム（Ａｎａｌｏｇ  ｂｅａｍ）のために送信される参照信号（Ｒｅｆｅｒｅｎｃｅ  ｓｉｇｎａｌ；ＲＳ）であるＢｅａｍ  ＲＳ（ＢＲＳ）を導入する方案が論議されている。ＢＲＳは複数のアンテナポートに対して定義することができ、ＢＲＳの各アンテナポートは単一のアナログビーム（Ａｎａｌｏｇ  ｂｅａｍ）に対応することができる。この時、ＢＲＳとは異なり、同期信号（Ｓｙｎｃｈｒｏｎｉｚａｔｉｏｎ  ｓｉｇｎａｌ）又はｘＰＢＣＨは、任意のＵＥがよく受信できるようにアナログビームグループ（Ａｎａｌｏｇ  ｂｅａｍ  Ｇｒｏｕｐ）に含まれた全てのアナログビーム（Ａｎａｌｏｇ  ｂｅａｍ）のために送信されることができる。
【００６７】
図８は新たな無線接続技術（ｎｅｗ  ｒａｄｉｏ  ａｃｃｅｓｓ  ｔｅｃｈｎｏｌｏｇｙ、ＮＲ）システムのセルを例示する図である。
【００６８】
図８を参照すると、ＮＲシステムにおいて、既存のＬＴＥなどの無線通信システムに１つの基地局が１つのセルを形成したこととは異なり、複数のＴＲＰが１つのセルを構成する方案が論議されている。複数のＴＲＰが１つのセルを構成すると、ＵＥをサービスするＴＲＰが変わっても中断されず続けて通信が可能であり、ＵＥの移動性管理が容易である。
【００６９】
ＬＴＥ／ＬＴＥ−Ａシステムにおいて、ＰＳＳ／ＳＳＳは全−方位的（ｏｍｎｉ−ｄｉｒｅｃｔｉｏｎ）に送信されることに反して、ｍｍＷａｖｅを適用するｇＮＢがビーム方向を全−方位的に変化しながらＰＳＳ／ＳＳＳ／ＰＢＣＨなどの信号をビームフォーミングして送信する方法が考えられている。このように、ビーム方向を変化しながら信号を送信／受信することをビームスイーピング（ｂｅａｍ  ｓｗｅｅｐｉｎｇ）又はビームスキャニングという。本発明において“ビームスイーピング”は送信器側の行動であり、“ビームスキャニング”は受信器側の行動を示す。例えば、ｇＮＢが最大Ｎ個のビーム方向を有すると仮定すると、Ｎ個のビーム方向に対して各々ＰＳＳ／ＳＳＳ／ＰＢＣＨなどの信号を送信する。即ち、ｇＮＢは自分が有し得る又は支援しようとする方向をスイーピングしながら各々の方向に対してＰＳＳ／ＳＳＳ／ＰＢＣＨなどの同期信号を送信する。又はｇＮＢがＮ個のビームを形成できる場合、いくつずつのビームを集めて１つのビームグループを構成でき、ビームグループごとにＰＳＳ／ＳＳＳ／ＰＢＣＨを送信／受信することができる。この時、１つのビームグループは１つ以上のビームを含む。同じ方向に送信されるＰＳＳ／ＳＳＳ／ＰＢＣＨなどの信号が１つのＳＳブロックと定義されることができ、１つのセル内に複数のＳＳブロックが存在することができる。複数のＳＳブロックが存在する場合、各ＳＳブロックの区分のために、ＳＳブロックインデックスを使用できる。例えば、１つのシステムにおいて１０つのビーム方向にＰＳＳ／ＳＳＳ／ＰＢＣＨが送信される場合、同方向へのＰＳＳ／ＳＳＳ／ＰＢＣＨが１つのＳＳブロックを構成することができ、該当システムでは１０つのＳＳブロックが存在すると理解できる。本発明において、ビームインデックスはＳＳブロックインデックスと解析できる。
【００７０】
帯域幅パート（Ｂａｎｄｗｉｄｔｈ  ｐａｒｔ、ＢＷＰ）
ＮＲシステムでは１つの搬送波（ｃａｒｒｉｅｒ）当たり最大４００ＭＨｚまで支援できる。かかるワイドバンド（ｗｉｄｅｂａｎｄ）搬送波で動作するＵＥが常に搬送波全体に対する無線周波数（ｒａｄｉｏ  ｆｒｅｑｕｅｎｃｙ、ＲＦ）モジュールをオンにしたまま動作すると、ＵＥバッテリーの消耗が大きくなる。或いは、１つのワイドバンド搬送波内に動作する様々な使用例（ｕｓｅ  ｃａｓｅ）（ｅ．ｇ.、ｅＭＢＢ、ＵＲＬＬＣ、ｍＭＴＣ、Ｖ２Ｘなど）を考慮した時、該当搬送波内に周波数帯域ごとに互いに異なるニューマロロジー（例えば、副搬送波間隔）が支援されることができる。或いは、ＵＥごとに最大帯域幅に対する能力が異なることができる。これを考慮して、基地局はワイドバンド搬送波の全体帯域幅ではなく一部の帯域幅のみで動作するようにＵＥに指示でき、該当一部の帯域幅を帯域幅パート（ｂａｎｄｗｉｄｔｈ  ｐａｒｔ、ＢＷＰ）と称する。周波数ドメインにおいて、ＢＷＰは、搬送波上の帯域幅パートｉ内のニューマロロジーμiに対して定義された隣接する（ｃｏｎｔｉｇｕｏｕｓ）共通リソースブロックのサブセットであり、１つのニューマロロジー（例えば、副搬送波間隔、ＣＰ長さ、スロット／ミニスロットの持続時間）が設定されることができる。
【００７１】
なお、基地局はＵＥに設定された１つの搬送波内に１つ以上のＢＷＰを設定できる。或いは、特定のＢＷＰにＵＥが集中する場合は、負荷バランス（ｌｏａｄ  ｂａｌａｎｃｉｎｇ）のために一部のＵＥを他のＢＷＰに移すことができる。或いは、隣のセル間の周波数ドメインインターセル干渉消去（ｆｒｅｑｕｅｎｃｙ  ｄｏｍａｉｎ  ｉｎｔｅｒ−ｃｅｌｌ  ｉｎｔｅｒｆｅｒｅｎｃｅ  ｃａｎｃｅｌｌａｔｉｏｎ）などを考慮して、全体帯域幅のうち、真ん中の一部のスペクトルを排除してセルの両側のＢＷＰを同一のスロット内に設定することができる。即ち、基地局はワイドバンド搬送波に連関するＵＥに少なくとも１つのＤＬ／ＵＬ  ＢＷＰを設定することができ、特定の時点に設定されたＤＬ／ＵＬ  ＢＷＰのうち、少なくとも１つのＤＬ／ＵＬ  ＢＷＰを（物理層制御信号であるＬ１シグナリング、ＭＡＣ層制御信号であるＭＡＣ制御要素（ｃｏｎｔｒｏｌ  ｅｌｅｍｅｎｔ、ＣＥ）、又はＲＲＣシグナリングなどにより）活性化でき、他の設定されたＤＬ／ＵＬ  ＢＷＰにスイッチングすることを（Ｌ１シグナリング、ＭＡＣ  ＣＥ、又はＲＲＣシグナリングなどにより）指示するか、又はタイマー値を設定してタイマーが満了すると、ＵＥが所定のＤＬ／ＵＬ  ＢＷＰにスイッチングするようにする。この時、他の設定されたＤＬ／ＵＬ  ＢＷＰにスイッチングすることを指示するために、ＤＣＩフォーマット１＿１又はＤＣＩフォーマット０ １を使用できる。活性化されたＤＬ／ＵＬ  ＢＷＰを特に活性（ａｃｔｉｖｅ）ＤＬ／ＵＬ  ＢＷＰという。ＵＥが初期接続（ｉｎｉｔｉａｌ  ａｃｃｅｓｓ）過程にいるか、又はＵＥのＲＲＣ連結のセットアップ前などの状況では、ＵＥがＤＬ／ＵＬ  ＢＷＰに対する設定（ｃｏｎｆｉｇｕｒａｔｉｏｎ）を受信できないこともある。かかる状況でＵＥが仮定するＤＬ／ＵＬ  ＢＷＰを初期活性ＤＬ／ＵＬ  ＢＷＰという。
【００７２】
一方、ここでＤＬ  ＢＷＰは、ＰＤＣＣＨ及び／又はＰＤＳＣＨなどのような下りリンク信号を送受信するためのＢＷＰであり、ＵＬ  ＢＷＰはＰＵＣＣＨ及び／又はＰＵＳＣＨなどのような上りリンク信号を送受信するためのＢＷＰである。
【００７３】
ＨＡＲＱ（Ｈｙｂｒｉｄ  Ａｕｔｏｍａｔｉｃ  Ｒｅｐｅａｔ  ａｎｄ  ｒｅＱｕｅｓｔ）
制御情報を報告するためのＵＥ動作に関連して、ＨＡＲＱ−ＡＣＫ動作について説明する。ＨＡＲＱ−ＡＣＫはＵＥが物理下りリンクチャネルを成功的に受信したか否かを示す情報であり、ＵＥが物理下りリンクチャネルを成功的に受信した場合はＡＣＫ（ａｃｋｎｏｗｌｅｄｇｅｍｅｎｔ）を、そうではない場合は否定のＡＣＫ（ｎｅｇａｔｉｖｅ  ＡＣＫ、ＮＡＣＫ）を基地局にフィードバックする。ＮＲにおけるＨＡＲＱは、輸送ブロック当たり１ビットのＨＡＲＱ−ＡＣＫフィードバックを支援する。図９はＨＡＲＱ−ＡＣＫタイミング（Ｋ１）の一例を示す図である。
【００７４】
図９において、Ｋ０はＤＬ割り当て（即ち、ＤＬグラント）を運ぶＰＤＣＣＨを有するスロットから対応するＰＤＳＣＨ送信を有するスロットまでのスロット数を示し、Ｋ１はＰＤＳＣＨのスロットから対応するＨＡＲＱ−ＡＣＫ送信のスロットまでのスロット数を示し、Ｋ２はＵＬグラントを運ぶＰＤＣＣＨを有するスロットから対応するＰＵＳＣＨ送信を有するスロットまでのスロット数を示す。即ち、ＫＯ、Ｋ１、Ｋ２を以下の表３のように簡単に整理できる。
【００７５】
【表３】
2020516101.tif 000005
【００７６】
基地局はＨＡＲＱ−ＡＣＫフィードバックタイミングをＤＣＩで動的に或いはＲＲＣシグナリングにより準−静的にＵＥに提供することができる。
【００７７】
ＮＲはＵＥの間に互いに異なる最小のＨＡＲＱプロセス時間を支援する。ＨＡＲＱプロセス時間はＤＬデータ受信タイミングに対応するＨＡＲＱ−ＡＣＫ送信タイミングの間の遅延（ｄｅｌａｙ）とＵＬグラント受信タイミングに対応するＵＬデータ送信タイミングの間の遅延を含む。ＵＥは基地局に自分の最小のＨＡＲＱプロセス時間の能力に関する情報を送信する。ＵＥの観点で、時間ドメインで多数のＤＬ送信に対するＨＡＲＱ  ＡＣＫ／ＮＡＣＫフィードバックは、１つのＵＬデータ／制御領域から送信されることができる。ＤＬデータ受信に対応するＡＣＫの間のタイミングはＤＣＩにより指示される。
【００７８】
輸送ブロック或いはコードワードごとにＨＡＱＲ過程が行われるＬＴＥシステムとは異なり、ＮＲシステムでは、単一（Ｓｉｎｇｌｅ）／多重（ｍｕｌｔｉ）ビットのＨＡＲＱ−ＡＣＫフィードバックを有するコードブロックグループ（ｃｏｄｅ  ｂｌｏｃｋ  ｇｒｏｕｐ、ＣＢＧ）基盤の送信が支援される。輸送ブロック（ｔｒａｎｓｐｏｒｔ  ｂｌｏｃｋ、ＴＢ）はＴＢのサイズによって１つ以上のＣＢにマッピングされることができる。例えば、チャネルコーディング過程において、ＴＢにはＣＲＣコードが付着し、ＣＲＣ付着ＴＢが一定のサイズより大きくないと、ＣＲＣ付着ＴＢがすぐ１つのコードブロック（ｃｏｄｅ  ｂｌｏｃｋ、ＣＢ）に対応するが、ＣＲＣ付着ＴＢが一定のサイズより大きいと、ＣＲＣ付着ＴＢは複数のＣＢにセグメントされる。ＮＲシステムにおいて、ＵＥはＣＢＧ基盤の送信を受信するように設定され、再送信はＴＢの全てのＣＢのサブセットを運ぶようにスケジューリングされることができる。
【００７９】
ＣＢＧ（Ｃｏｄｅ  Ｂｌｏｃｋ  Ｇｒｏｕｐ）基盤のＨＡＲＱ過程
ＬＴＥではＴＢ（Ｔｒａｎｓｐｏｒｔ  Ｂｌｏｃｋ）基盤のＨＡＲＱ過程が支援される。ＮＲではＴＢ基盤のＨＡＲＱ過程と共に、ＣＢＧ基盤のＨＡＲＱ過程が支援される。
【００８０】
図１０はＴＢの処理過程及び構造を例示する図である。図１０の過程はＤＬ−ＳＣＨ（Ｓｈａｒｅｄ  Ｃｈａｎｎｅｌ）、ＰＣＨ（Ｐａｇｉｎｇ  Ｃｈａｎｎｅｌ）及びＭＣＨ（Ｍｕｌｔｉｃａｓｔ  Ｃｈａｎｎｅｌ）送信チャネルのデータに適用できる。ＵＬ  ＴＢ（或いはＵＬ送信チャネルのデータ）も同様に処理できる。
【００８１】
図１０を参照すると、送信器はＴＢにエラーチェックのためにＣＲＣ（例えば、２４ビット）（ＴＢ  ＣＲＣ）を付加する。その後、送信器はチャネルエンコードのサイズを考慮してＴＢ＋ＣＲＣを複数のコードブロックに分けることができる。一例として、ＬＴＥにおいてコードブロックの最大サイズは６１４４ビットである。従って、ＴＢサイズが６１４４ビット以下であると、コードブロックは構成されず、ＴＢサイズが６１４４ビットより大きい場合は、ＴＢは６１４４ビット単位に分割されて複数のコードブロックが構成される。各々のコードブロックにはエラーチェックのためにＣＲＣ（例えば、２４ビット）（ＣＢ  ＣＲＣ）が個々に付加される。各々のコードブロックはチャネルコーディング及びレートマッチングを経た後、１つに併せてコードワードを構成する。ＴＢ基盤のＨＡＲＱ過程においてデータスケジューリングとそれによるＨＡＲＱ過程はＴＢ単位で行われ、ＣＢ  ＣＲＣはＴＢデコーディングの早期終了（ｅａｒｌｙ  ｔｅｒｍｉｎａｔｉｏｎ）を判断するために使用される。
【００８２】
図１１はＣＢＧ基盤のＨＡＲＱ過程を例示する。ＣＢＧ基盤のＨＡＲＱ過程において、データスケジューリングとそれによるＨＡＲＱ過程はＴＢ単位で行われることができる。
【００８３】
図１１を参照すると、端末は上位層信号（例えば、ＲＲＣ信号）により送信ブロック当たりコードブロックグループの数Ｍに関する情報を基地局から受信する（Ｓ１１０２）。その後、端末はデータ初期送信を（ＰＤＳＣＨを介して）基地局から受信する（Ｓ１１０４）。ここで、データは送信ブロックを含み、送信ブロックは複数のコードブロックを含み、複数のコードブロックは１つ以上のコードブロックグループに区分される。ここで、コードブロックグループのうちの一部はｃｅｉｌｉｎｇ（Ｋ／Ｍ）個のコードブロックを含み、残りのコードブロックはｆｌｏｏｒｉｎｇ（Ｋ／Ｍ）個のコードブロックを含む。Ｋはデータ内のコードブロック数を示す。その後、端末はデータに対してコードブロックグループ基盤のＡ／Ｎ情報を基地局にフィードバックでき（Ｓ１１０６）、基地局はコードブロックグループに基づいてデータ再送信を行うことができる（Ｓ１１０８）。Ａ／Ｎ情報はＰＵＣＣＨ又はＰＵＳＣＨを介して送信される。ここで、Ａ／Ｎ情報はデータに対して複数のＡ／Ｎビットを含み、各々のＡ／Ｎビットはデータに対してコードブロックグループ単位で生成された各々のＡ／Ｎ応答を示すことができる。Ａ／Ｎ情報のペイロードサイズはデータを構成するコードブロックグループ数に関係なく、Ｍに基づいて同様に維持されることができる。
【００８４】
動的（ｄｙｎａｍｉｃ）／準−静的（ｓｅｍｉ−ｓｔａｔｉｃ）ＨＡＲＱ−ＡＣＫコードブロック方式
ＮＲでは動的ＨＡＲＱ−ＡＣＫコードブロック方式と準−静的ＨＡＲＱ−ＡＣＫコードブロック方式を支援する。ＨＡＲＱ−ＡＣＫ（又はＡ／Ｎ）コードブロックはＨＡＲＱ−ＡＣＫペイロードに代替できる。
【００８５】
動的ＨＡＲＱ−ＡＣＫコードブロック方式が設定された場合、Ａ／Ｎペイロードのサイズは実際スケジューリングされたＤＬデータ数によってＡ／Ｎペイロードのサイズが可変する。このために、ＤＬスケジューリングに関連するＰＤＣＣＨにはｃｏｕｎｔｅｒ−ＤＡＩ（Ｄｏｗｎｌｉｎｋ  Ａｓｓｉｇｎｍｅｎｔ  Ｉｎｄｅｘ）とｔｏｔａｌ−ＤＡＩが含まれる。ｃｏｕｎｔｅｒ−ＤＡＩはＣＣ（Ｃｏｍｐｏｎｅｎｔ  Ｃａｒｒｉｅｒ）（又はセル）優先（ｆｉｒｓｔ）方式で計算された[ＣＣ、スロット]スケジューリング順序値を示し、Ａ／Ｎコードブロック内でＡ／Ｎビットの位置を指定する時に使用される。ｔｏｔａｌ−ＤＡＩは現在スロットまでのスロット単位スケジューリング累積値を示し、Ａ／Ｎコードブロックのサイズを決定する時に使用される。
【００８６】
準−静的Ａ／Ｎコードブロック方式が設定された場合、実際スケジューリングされたＤＬデータ数に関係なく、Ａ／Ｎコードブロックのサイズが（最大値に）固定される。具体的には、１つのスロット内の１つのＰＵＣＣＨを介して送信される（最大）Ａ／Ｎペイロード（サイズ）は、端末に設定された全てのＣＣ及びＡ／Ｎ送信タイミングを指示可能な全てのＤＬスケジューリングスロット（又はＰＤＳＣＨ送信スロット又はＰＤＣＣＨモニタリングスロット）の組み合わせ（以下、バンドリングウィンドウ）に対応するＡ／Ｎビット数に決定される。例えば、ＤＬグラントＤＣＩ（ＰＤＣＣＨ）には、ＰＤＳＣＨ−ｔｏ−Ａ／Ｎタイミング情報が含まれ、ＰＤＳＣＨ−ｔｏ−Ａ／Ｎタイミング情報は、複数の値のうち、１つ（例えば、ｋ）を有する。例えば、ＰＤＳＣＨがスロット＃ｍで受信され、ＰＤＳＣＨをスケジューリングするＤＬグラントＤＣＩ（ＰＤＣＣＨ）内のＰＤＳＣＨ−ｔｏ−Ａ／Ｎタイミング情報がｋを指示する場合、ＰＤＳＣＨに対するＡ／Ｎ情報はスロット＃（ｍ＋ｋ）で送信されることができる。一例として、ｋ∈[１、２、３、４、５、６、７、８]と与えられることができる。一方、Ａ／Ｎ情報がスロット＃ｎで送信される場合、Ａ／Ｎ情報はバンドリングウィンドウを基準として可能な最大Ａ／Ｎを含むことができる。即ち、スロット＃ｎのＡ／Ｎ情報はスロット＃（ｎ−k）に対応するＡ／Ｎを含むことができる。例えば、ｋ∈[１、２、３、４、５、６、７、８]の場合、スロット＃ｎのＡ／Ｎ情報は実際のＤＬデータ受信に関係なくスロット＃（ｎ−８）〜スロット＃（ｎ−１）に対応するＡ／Ｎを含む（即ち、最大数のＡ／Ｎ）。ここで、Ａ／Ｎ情報はＡ／Ｎコードブロック、Ａ／Ｎペイロードと代替できる。また、スロットはＤＬデータ受信のための候補機会（ｏｃｃａｓｉｏｎ）と理解／代替できる。例示したように、バンドリングウィンドウはＡ／Ｎスロットを基準としてＰＤＳＣＨ−ｔｏ−Ａ／Ｎタイミングに基づいて決定され、ＰＤＳＣＨ−ｔｏ−Ａ／Ｎタイミングセットは既に定義された値を有するか（例えば、[１、２、３、４、５、６、７、８]）、又は上位層（ＲＲＣ）シグナリングにより設定される。
【００８７】
〔実施例〕
以下、本発明の実施例によるＨＡＲＱ−ＡＣＫを送受信する方法について詳しく説明する。
【００８８】
５世代ＮＲシステムでは、ＲＦ／基底帯域（ｂａｓｅｂａｎｄ）スイッチングによるエネルギー節約及び／又は負荷バランス（ｌｏａｄ  ｂａｌａｎｃｉｎｇ）などの目的を達成するために、Ｂａｎｄｗｉｄｔｈ  ｐａｒｔ（ＢＷＰ）を動的に変更することができる。
【００８９】
また、ＢＷＰが変更に基づいてＨＡＲＱ−ＡＣＫコードブロック（ｃｏｄｅｂｏｏｋ）の構成、ＣＳＩ報告（ｒｅｐｏｒｔｉｎｇ）などを変更でき、特に搬送波集成（Ｃａｒｒｉｅｒ  ａｇｇｒｅｇａｔｉｏｎ；ＣＡ）が適用された時、各セルごとにＢＷＰが独立して変更されると、それによるＨＡＲＱ−ＡＣＫコードブロックの構成及びＣＳＩ構成方法を定義する必要がある。
【００９０】
本発明では、例えば、互いに異なるＢＷＰが各々準−静的ＨＡＲＱ−ＡＣＫコードブロックと動的ＨＡＲＱ−ＡＣＫコードブロックを使用するか、ＴＢ基盤のＨＡＲＱ−ＡＣＫとＣＢＧ基盤のＨＡＲＱ−ＡＣＫを使用するか、又は各ＢＷＰごとにＰＤＣＣＨモニタリング機会を有する場合のようにＢＷＰごとにＨＡＲＱ−ＡＣＫ送信方法が異なる場合のＨＡＲＱ−ＡＣＫ送信方法について説明する。さらに、ＢＷＰスイッチングによりＢＷＰが変更される過程でのＨＡＲＱ−ＡＣＫ送信方法についても説明する。一方、本発明はＨＡＲＱ−ＡＣＫ送信に限られず、ＣＳＩのような他のＵＣＩ送信などにも拡張して適用できる。
【００９１】
基本的には、ＮＲシステムにおいて、ＨＡＲＱ−ＡＣＫフィードバック送信方法には、準−静的（Ｓｅｍｉ−Ｓｔａｔｉｃ）ＨＡＲＱ−ＡＣＫコードブロック方式と動的（Ｄｙｎａｍｉｃ）ＨＡＲＱ−ＡＣＫコードブロック方式がある。
【００９２】
準−静的ＨＡＲＱ−ＡＣＫコードブロック方式の場合、ＵＥに設定された複数のＰＤＳＣＨ−ｔｏ−ＨＡＲＱ−ＡＣＫフィードバックタイミングを考慮して、特定のＰＵＣＣＨ送信時点に連関する全てのＰＤＣＣＨモニタリング機会についてＨＡＲＱ−ＡＣＫビットを生成／送信することであり、ＰＤＣＣＨモニタリング機会にスケジューリングされなかったＰＤＳＣＨはＮＡＣＫと処理することができる。
【００９３】
言い換えれば、特定のＰＵＣＣＨ送信時点（即ち、ＨＡＲＱ−ＡＣＫ送信時点）に連関するＰＤＳＣＨ−ｔｏ−ＨＡＲＱ−ＡＣＫフィードバックタイミングに基づく複数のスロットでＰＤＳＣＨの受信を期待できるＰＤＳＣＨ受信機会のうち、ＰＤＳＣＨ−ｔｏ−ＨＡＲＱ−ＡＣＫフィードバックタイミングに基づいてＰＤＣＣＨ送信が不可能なＰＤＳＣＨ受信機会、即ち、ＰＤＳＣＨ受信機会のうち、ＰＤＣＣＨによりスケジューリングできないＰＤＳＣＨ受信機会を除いたＰＤＳＣＨ受信機会を候補ＰＤＳＣＨ受信機会という。
【００９４】
この時、候補ＰＤＳＣＨ受信機会のうち、実際ＰＤＣＣＨモニタリング機会によりスケジューリングされずＰＤＳＣＨが受信されなかった候補ＰＤＳＣＨ受信機会はＮＡＣＫと処理することができる。
【００９５】
反面、動的ＨＡＲＱ−ＡＣＫコードブロック方式の場合、ＤＣＩ内に総ＤＡＩ（Ｄｏｗｎｌｉｎｋ  Ａｓｓｉｇｎｍｅｎｔ  Ｉｎｄｅｘ）フィールド及び／又はカウンタＤＡＩフィールドが設定され、該当ＤＡＩ値に基づいてＰＤＣＣＨモニタリング機会により実際スケジューリングされたＰＤＳＣＨのためのＨＡＲＱ−ＡＣＫビットを生成／送信することができる。
【００９６】
一方、搬送波集成が適用された場合には、複数のセルに対するＨＡＲＱ−ＡＣＫ送信が１つのＰＵＣＣＨに多重化（ｍｕｌｔｉｐｌｅｘｅｄ）されて送信されることができる。
【００９７】
この時、準−静的ＨＡＲＱ−ＡＣＫコードブロックを使用する場合、ＨＡＲＱ−ＡＣＫビットの順序は、図１２に示したように、各セルのＰＤＣＣＨモニタリング機会の和集合を基準として、最も早い時間のＰＤＣＣＨモニタリング機会から、セルインデックスが最も低いものから増加する順にＨＡＲＱ−ＡＣＫビットを生成でき、動的ＨＡＲＱ−ＡＣＫコードブロックを使用する場合は、図１３に示したように、該当セルでＰＤＳＣＨをスケジューリングするＤＣＩが実際存在する時、それに基づいてＨＡＲＱ−ＡＣＫを生成することができる。
【００９８】
一方、ＮＲシステムでは、サービングセルごとにＣＢＧ基盤の再送信及び／又はＨＡＲＱ−ＡＣＫフィードバックを設定することができ、ＣＢＧ基盤のＨＡＲＱ−ＡＣＫビット数及び／又は最大ＣＢＧ基盤のＨＡＲＱ−ＡＣＫビット数もサービングセルごとに設定することができる。準−静的ＨＡＲＱ−ＡＣＫコードブロックを使用する場合、各セルごとに設定されたＣＢＧ基盤のＨＡＲＱ−ＡＣＫの設定有無によって各ＰＤＣＣＨモニタリング機会ごとにＴＢ基盤のＨＡＲＱ−ＡＣＫを生成するか、又は各サービングセルごとに設定されたＣＢＧ数及び／又は最大ＣＢＧ数に基づいてＣＢＧ基盤のＨＡＲＱ−ＡＣＫビットを生成するかを決定できる。なお、ＴＢ基盤のＨＡＲＱ−ＡＣＫは、最大ＴＢ数によって１ビット又は２ビットに生成されることができる。
【００９９】
動的ＨＡＲＱ−ＡＣＫコードブロックを使用する場合は、図１４に示したように、全てのサービングセルについてＴＢ基盤のＨＡＲＱ−ＡＣＫを基準としてＨＡＲＱ−ＡＣＫビットを生成し、ＣＢＧ送信が設定されたサービングセルに限ってさらに各サービングセルに設定されたＣＢＧ数の最大値（ａｃｒｏｓｓ  ｄｉｆｆｅｒｅｎｔ  ｓｅｒｖｉｎｇ  ｃｅｌｌｓ）に基づいて各サービングセルごとにスケジューリングされるＣＢＧ数ほどのＨＡＲＱ−ＡＣＫビットを生成する。この時、ＣＢＧ数の最大値は設定された最大ＴＢ数の２倍数になることができる。
【０１００】
一方、ＮＲシステムでは、下りリンクと上りリンクとのニューマロロジー（例えば、副搬送波間隔）が異なり得る。よって、ＰＤＳＣＨとＨＡＲＱ−ＡＣＫフィードバックとの間のタイミング（ｔｉｍｉｎｇ）を決定するとき、ＰＤＳＣＨのためのニューマロロジーとＨＡＲＱ−ＡＣＫ送信のためのニューマロロジーとが異なることを考慮する必要がある。基本的に、ＰＤＳＣＨとＨＡＲＱ−ＡＣＫが送信されるＰＵＣＣＨ間のオフセット値を示すＫ１は、ＰＵＣＣＨに対するニューマロロジーを基準として表現された。よって、ＰＤＳＣＨの最後のシンボルが重なるスロットをｎとするとき、ＰＵＣＣＨはｎ＋Ｋ１に該当スロットで送信された。しかし、ＰＤＳＣＨの副搬送波間隔がＰＵＣＣＨの副搬送波間隔より小さい場合、時間領域のリソース割り当て（ｔｉｍｅ−ｄｏｍａｉｎ  Ｒｅｓｏｕｒｃｅ  Ａｌｌｏｃａｔｉｏｎ; ｔｉｍｅ−ｄｏｍａｉｎ  ＲＡ）によって、ＰＵＣＣＨの副搬送波間隔に基づいたスロットが異なり得る。
【０１０１】
この場合、各ＰＵＣＣＨスロット内のＰＤＳＣＨの最後のシンボルが重なる複数のＰＤＳＣＨ−ｔｏ−ＨＡＲＱフィードバックタイミング（ｆｅｅｄｂａｃｋ  ｔｉｍｉｎｇ）に対するｒｏｗ  ｏｆ  ｔｉｍｅ−ｄｏｍａｉｎ  ＲＡ  ｔａｂｌｅ集合（ｓｅｔ）を設定することができる。より具体的に、ＰＤＳＣＨの最後のシンボルは、ｔｉｍｅ−ｄｏｍａｉｎ  ＲＡフィールド（ｆｉｅｌｄ）のＳＬＩＶから類出できる。このとき、ＰＤＳＣＨの最後のシンボルは、スロット集成（ｓｌｏｔ  ａｇｇｒｅｇａｔｉｏｎ）を考慮して集成されたスロットの最後のスロットに限って位置するように設定してもよい。或いは、ＰＤＳＣＨ間に重ならないＰＤＳＣＨ（ｎｏｎ−ｏｖｅｒｌａｐｐｉｎｇ  ＰＤＳＣＨ）組み合わせ数の最大値を設定してもよい。
【０１０２】
一方、ＰＤＳＣＨの副搬送波間隔がＰＵＣＣＨの副搬送波間隔より大きい場合、ＰＤＳＣＨに対する複数のスロットがＰＵＣＣＨの副搬送波間隔に基づいたスロットの１個と重なることがある。この場合、各スロットにおいて重ならないＰＤＳＣＨ（ｎｏｎ−ｏｖｅｒｌａｐｐｉｎｇ  ＰＤＳＣＨ）の最大数に基づいて、ＨＡＲＱ−ＡＣＫコードブック（ｃｏｄｅｂｏｏｋ）を算出することができる。具体的に、特定のＰＵＣＣＨスロットと重なる全てのＰＤＳＣＨスロットに対する集合を設定して、各ＰＤＳＣＨスロットにおいて重ならないＰＤＳＣＨ（ｎｏｎ−ｏｖｅｒｌａｐｐｉｎｇ  ＰＤＳＣＨ）組み合わせ数の最大値を設定した後、合計して、他のＰＤＳＣＨ−ｔｏ−ＨＡＲＱフィードバックタイミング（ｆｅｅｄｂａｃｋ  ｔｉｍｉｎｇ）に対して繰り返して適用することができる。このとき、スロット集成（ｓｌｏｔ  ａｇｇｒｅｇａｔｉｏｎ）を考慮すれば、集成されたスロットの最後スロットに限って、上述の実施例を適用することができる。
【０１０３】
上述した方法を組み合わせると、以下のような実施例が導かれる。即ち、ＰＵＣＣＨがＰＵＣＣＨスロットｎで送信される場合、ＰＵＣＣＨスロットｎ−ｋ（ここで、ｋは、Ｋ１内に含まれる全ての値）内に最後のシンボル（ｅｎｄｉｎｇ  ｓｙｍｂｏｌ）が重なる全てのＰＤＳＣＨに対するＳＬＩＶ及びＰＤＳＣＨスロットの組み合わせに対する集合を構成することができる。このとき、スロット集成（ｓｌｏｔ  ａｇｇｒｅｇａｔｉｏｎ）が設定される場合、最後のシンボル（ｅｎｄｉｎｇ  ｓｙｍｂｏｌ）は、集成されたスロットのうち最後のスロットに対応する最後のシンボル（ｅｎｄｉｎｇ  ｓｙｍｂｏｌ）を意味してもよい。最後のシンボルが重なる全てのＰＤＳＣＨに対するＳＬＩＶ及び／又はＰＤＳＣＨスロットの組み合わせに対する集合において、上りリンクシンボルを含むＳＬＩＶ及びＰＤＳＣＨスロットの組み合わせを該当集合から除くことができる。また、ＳＬＩＶ及びＰＤＳＣＨスロットの組み合わせに対応するＰＤＣＣＨモニタリング機会（ｍｏｎｉｔｏｒｉｎｇ  ｏｃｃａｓｉｏｎ）が設定されない場合、該当ＳＬＩＶ及びＰＤＳＣＨスロットの組み合わせを該当集合から除くことができる。この過程を経て決定された集合内で重ならないＰＤＳＣＨを探すためのアルゴリズムを適用して、重ならないＰＤＳＣＨの最大の組み合わせ数を導出することができる。このとき、最大の組み合わせ数は、ＰＤＳＣＨスロットごとに導出してもよく、スロット集成（ｓｌｏｔ  ａｇｇｒｅｇａｔｉｏｎ）を用いる場合、上述した導出方式に対する修正が可能である。
【０１０４】
一方、ＤＣＩフォーマット（ｆｏｒｍａｔ）ごとにＰＤＣＣＨモニタリング機会（ｍｏｎｉｔｏｒｉｎｇ  ｏｃｃａｓｉｏｎ）が異なり得る。例えば、ＤＣＩフォーマット１ ０のＰＤＣＣＨモニタリング機会（ｍｏｎｉｔｏｒｉｎｇ  ｏｃｃａｓｉｏｎ）は、ＤＣＩフォーマット１＿１のＰＤＣＣＨモニタリング機会（ｍｏｎｉｔｏｒｉｎｇ  ｏｃｃａｓｉｏｎ）に対するサブセット（ｓｕｂｓｅｔ）で構成してもよい。この場合、時間領域リソース割り当て集合（ｔｉｍｅ−ｄｏｍａｉｎ  ｒｅｓｏｕｒｃｅ  ａｌｌｏｃａｔｉｏｎ  ｓｅｔ）がＤＣＩフォーマットに応じて異なり得る。
【０１０５】
よって、ＤＣＩフォーマットに応じてＨＡＲＱ−ＡＣＫコードブックの構成方式が異なってもよい。例えば、ＰＤＣＣＨモニタリング機会（ｍｏｎｉｔｏｒｉｎｇ  ｏｃｃａｓｉｏｎ）によってＤＣＩフォーマット１＿１のみを考慮すればよい場合には、ＤＣＩフォーマット１＿１において指示可能なｒｏｗｓ  ｏｆ  ｔｉｍｅ−ｄｏｍａｉｎ  ＲＡ  ｔａｂｌｅを基準としてＨＡＲＱ−ＡＣＫコードブックを構成することができる。一方、ＰＤＣＣＨモニタリング機会（Ｍｏｎｉｔｏｒｉｎｇ  ｏｃｃａｓｉｏｎ）によって、ＤＣＩフォーマット１＿１とＤＣＩフォーマット１＿０がモニタリング可能な場合には、ＤＣＩフォーマット１＿１で指示可能なｒｏｗｓ  ｏｆ  ｔｉｍｅ−ｄｏｍａｉｎ  ＲＡ  ｔａｂｌｅと、ＤＣＩフォーマット１＿０で指示可能なｒｏｗｓ  ｏｆ  ｔｉｍｅ−ｄｏｍａｉｎ  ＲＡ  ｔａｂｌｅの和集合を基準としてＨＡＲＱ−ＡＣＫコードブックを構成することができる。
【０１０６】
例えば、ＰＤＳＣＨ  ｔｉｍｅ−ｄｏｍａｉｎ  ＲＡ  ｔａｂｌｅの各ｒｏｗとＤＣＩフォーマット対（ｆｏｒｍａｔ  ｐａｉｒ）に対する集合を設定することができる。換言すれば、各ｒｏｗごとにＰＤＣＣＨに対する有効性（ａｖａｉｌａｂｉｌｉｔｙ）を決定するとき、該当ｒｏｗとペアリング（ｐａｉｒｅｄ）されたＤＣＩフォーマットのＰＤＣＣＨモニタリング機会の存否を確認して該当集合を設定することができる。即ち、各ｒｏｗ  ｏｆ  ｔｉｍｅ−ｄｏｍａｉｎ  ＲＡ  ｔａｂｌｅを確認するとき、ＤＣＩを受信したスロットからＰＤＳＣＨを受信するためのスロット間のオフセット値であるＫ０に基づいて、該当時点に該当ＤＣＩフォーマットのＰＤＣＣＨモニタリング機会（ｍｏｎｉｔｏｒｉｎｇ  ｏｃｃａｓｉｏｎｓ）を確認して、該当時点にＰＤＣＣＨモニタリング機会が存在するとき、これをＨＡＲＱ−ＡＣＫコードブック（ｃｏｄｅｂｏｏｋ）の構成の際に考慮して、そうではない場合、ＨＡＲＱ−ＡＣＫコードブック構成から除くことができる。
【０１０７】
なお、ＵＥはＰＤＣＣＨモニタリングを現在設定された活性下りリンクＢＷＰ（ａｃｔｉｖｅ  ＤＬ  ＢＷＰ）内でのみ行うことができる。この時、各ＢＷＰごとにＣＯＲＥＳＥＴ及び／又は検索空間（Ｓｅａｒｃｈ  ｓｐａｃｅ）を独立して設定できる。また、検索空間はＰＤＣＣＨに対する時間軸へのモニタリング機会を含むことができる。
【０１０８】
しかし、ＢＷＰによってＰＤＣＣＨモニタリング機会が異なる場合は、ＨＡＲＱ−ＡＣＫコードブロック構成も動的に変更する必要がある。また、ＰＤＳＣＨ−ｔｏ−ＨＡＲＱ−ＡＣＫフィードバックタイミング値の範囲もＢＷＰごとに独立して設定でき、かかる場合にもＨＡＲＱ−ＡＣＫコードブロック構成を変更できる。
【０１０９】
ＢＷＰが変更される場合、ＨＡＲＱ−ＡＣＫコードブロック構成が曖昧な区間が発生することがある。例えば、変更前のＢＷＰのＨＡＲＱフィードバック時点に連関するＰＤＣＣＨモニタリング機会と、変更後のＢＷＰのＨＡＲＱフィードバック時点に連関するＰＤＣＣＨモニタリング機会が複数個重なる場合、重なるＰＤＣＣＨモニタリング機会におけるＨＡＲＱ−ＡＣＫコードブロック構成に曖昧性が生じ得る。
【０１１０】
この時、場合によってはＨＡＲＱ−ＡＣＫコードブロックのサイズ又はＨＡＲＱ−ＡＣＫコードブロックを構成するビットを多様に変化できる。例えば、ＢＷＰ＃１ではＰＤＳＣＨ−ｔｏ−ＨＡＲＱ−ＡＣＫタイミング集合（ｔｉｍｉｎｇ  ｓｅｔ）が[４、５、６、７]スロットに設定され、ＢＷＰ＃２ではＰＤＳＣＨ−ｔｏ−ＨＡＲＱ−ＡＣＫタイミング集合が[４、６]スロットに設定されると仮定する。
【０１１１】
例えば、スロットｎでＨＡＲＱ−ＡＣＫフィードバックを送信する時、スロットｎ−４以前にはＢＷＰ＃１で動作し、スロットｎ−４からはＢＷＰ＃２で動作すると仮定する。かかる場合、ＵＥはスロットｎでスロットｎ−７、ｎ−６、ｎ−５、ｎ−４に対する４ビットＨＡＲＱ−ＡＣＫを送信するか、及び／又はスロットｎ−６、ｎ−４に対する２ビットのＨＡＲＱ−ＡＣＫを送信するかが曖昧になる。特に、ＣＡ状況を考慮する場合、ＨＡＲＱ−ＡＣＫに対するサイズが変更することによって全体的なＨＡＲＱ−ＡＣＫコードブロック構成が変更されることができる。但し、仮定によるＰＤＳＣＨ−ｔｏ−ＨＡＲＱ−ＡＣＫタイミング集合の関係はＰＤＣＣＨ−ｔｏ−ＰＤＳＣＨタイミングによる組み合わせ（ｃｏｍｂｉｎａｔｉｏｎ）により拡張できる。
【０１１２】
以下、ＢＷＰスイッチングによるＨＡＲＱ−ＡＣＫコードブロックの構成方法についてより具体的な実施例を説明する。
【０１１３】
本格的な説明前に本発明の実施例によるＵＥ、基地局及びネットワークの観点での動作過程について図１５乃至図１７を参照しながら説明する。
【０１１４】
図１５は本発明の実施例によるＵＥの動作過程を示す図である。図１５を参照すると、ＵＥは基地局から下りリンク信号受信のための複数のＢＷＰが設定される（Ｓ１５０１）。この時、複数のＢＷＰは上位層シグナリングにより設定される。また、ＵＥは基地局から複数のＢＷＰのうち、第１ＢＷＰを活性させるためのＤＣＩ及び／又は上位層シグナリングを受信し（Ｓ１５０３）、活性された第１ＢＷＰで第１ＰＤＳＣＨを受信する（Ｓ１５０５）。その後、第１ＢＷＰから第２ＢＷＰに活性ＢＷＰを変更するためのＤＣＩを基地局から受信し（Ｓ１５０７）、変更された活性ＢＷＰである第２ＢＷＰで第２ＰＤＳＣＨを受信する（Ｓ１５０９）。
【０１１５】
また、ＵＥは変更前のＢＷＰで受信した第１ＰＤＳＣＨ及び変更後のＢＷＰで受信した第２ＰＤＳＣＨのうち、少なくとも１つに対するＨＡＲＱ−ＡＣＫを送信するが（Ｓ１５１１）、この時、ＨＡＲＱ−ＡＣＫを構成する方法及び送信する方法は、後述する実施例１乃至実施例４による。
【０１１６】
図１６を参照しながら本発明の実施例による基地局の動作過程について説明する。基地局はＵＥに下りリンク信号送信のための複数のＢＷＰを設定できる（Ｓ１６０１）。この時、複数のＢＷＰは上位層シグナリングにより設定できる。また基地局は複数のＢＷＰのうち、第１ＢＷＰを活性させるためのＤＣＩ及び／又は上位層シグナリングをＵＥに送信し（Ｓ１６０３）、活性された第１ＢＷＰで第１ＰＤＳＣＨを送信する（Ｓ１６０５）。その後、第１ＢＷＰから第２ＢＷＰに活性ＢＷＰを変更するためのＤＣＩをＵＥに送信し（Ｓ１６０７）、変更された活性ＢＷＰである第２ＢＷＰで第２ＰＤＳＣＨを送信する（Ｓ１６０９）。
【０１１７】
また、基地局は変更前のＢＷＰで送信した第１ＰＤＳＣＨ及び変更後のＢＷＰで送信した第２ＰＤＳＣＨのうち、少なくとも１つに対するＨＡＲＱ−ＡＣＫをＵＥから受信するが（Ｓ１６１１）、この時、ＨＡＲＱ−ＡＣＫを構成する方法及び受信する方法は、後述する実施例１乃至実施例４による。
【０１１８】
図１５乃至図１６の動作過程をネットワークの観点で図１７を参照しながら説明する。基地局がＵＥに下りリンク信号送信のための複数のＢＷＰを上位層シグナリングにより設定し（Ｓ１７０１）、複数のＢＷＰのうち、第１ＢＷＰを活性させるためのＤＣＩ及び／又は上位層シグナリングをＵＥに送信する（Ｓ１７０３）。また基地局は活性された第１ＢＷＰで第１ＰＤＳＣＨを送信する（Ｓ１７０５）。その後、基地局は第１ＢＷＰから第２ＢＷＰに活性ＢＷＰを変更するためのＤＣＩをＵＥに送信し（Ｓ１７０７）、変更された活性ＢＷＰである第２ＢＷＰで第２ＰＤＳＣＨを送信する（Ｓ１７０９）。
【０１１９】
また、ＵＥは変更前のＢＷＰで送信した第１ＰＤＳＣＨ及び変更後のＢＷＰで送信した第２ＰＤＳＣＨのうち、少なくとも１つに対するＨＡＲＱ−ＡＣＫを基地局に送信するが（Ｓ１７１１）、この時、ＨＡＲＱ−ＡＣＫを構成する方法及び受信する方法は、後述する実施例１乃至実施例４による。
【０１２０】
実施例１
ＵＥは準−静的ＨＡＲＱ−ＡＣＫコードブロックを使用する場合、ＢＷＰが変更されることを期待しない。又は、ＵＥはＢＷＰが変更されてもＨＡＲＱ−ＡＣＫフィードバックに連動するＰＤＣＣＨモニタリング機会の集合又は下りリンク連関の集合（ＤＬ  ａｓｓｏｃｉａｔｉｏｎ  ｓｅｔ）は変更されないと期待することができる。
【０１２１】
即ち、実施例１の場合、ＢＷＰが変更するにもかかわらず、ＨＡＲＱ−ＡＣＫコードブロックの構成が変更されることを回避するか又は期待しない。
【０１２２】
実施例２
複数のＢＷＰが設定された（Ｃｏｎｆｉｇｕｒｅｄ）場合、ＵＥは各セルごとに全ての設定された（ｃｏｎｆｉｇｕｒｅｄ）ＢＷＰに対するＰＤＣＣＨモニタリング機会又は下りリンク連関の集合の和集合に基づいて、ＨＡＲＱ−ＡＣＫビットを生成するか否かを決定する。具体的には、準−静的ＨＡＲＱ−ＡＣＫコードブロックを使用する場合、設定された全てのＢＷＰに対するＰＤＣＣＨモニタリング機会又は下りリンク連関の集合の和集合内の各々のＰＤＣＣＨモニタリング機会ごとにＨＡＲＱ−ＡＣＫビットを生成することができる。この時、ＨＡＲＱ−ＡＣＫビットの数はＴＢ数によって１ビット又は２ビットである。
【０１２３】
なお、動的ＨＡＲＱ−ＡＣＫコードブロックを使用する場合、設定された全てのＢＷＰに対するＰＤＣＣＨモニタリング機会又は下りリンク連関集合の和集合に基づいて、ＰＤＳＣＨのスケジューリング（Ｓｃｈｅｄｕｌｉｎｇ）の有無によってＨＡＲＱ−ＡＣＫビットを生成することができる。
【０１２４】
実施例２の場合、ＨＡＲＱ−ＡＣＫビット数が多くなることができる。特に、準−静的ＨＡＲＱ−ＡＣＫコードブロックでは、ＨＡＲＱ−ＡＣＫビット数が多すぎることがある。しかし、ＢＷＰが動的に変更され、ＰＤＣＣＨモニタリング機会、ＰＤＣＣＨ−ｔｏ−ＰＤＳＣＨタイミング及び／又はＰＤＳＣＨ−ｔｏ−ＨＡＲＱ−ＡＣＫフィードバックタイミング集合（ｆｅｅｄｂａｃｋ  ｔｉｍｉｎｇ  ｓｅｔ）が動的に変更される場合にもＨＡＲＱ−ＡＣＫ構成は変わらないという長所がある。
【０１２５】
実施例３
ＵＥは該当ＨＡＲＱ−ＡＣＫフィードバック送信時点の活性ＢＷＰ、即ち活性（下りリンク）ＢＷＰを基準としてＨＡＲＱ−ＡＣＫビットを生成できる。又は、ＨＡＲＱ−ＡＣＫフィードバックに連関するＰＤＳＣＨのうち、最も近い時点のＰＤＳＣＨに対応する（下りリンク）ＢＷＰを基準としてＨＡＲＱ−ＡＣＫビットを生成することができる。
【０１２６】
具体的には、単一セル基盤である場合は、以前のＢＷＰでスケジューリング中であったＰＤＳＣＨに対するＨＡＲＱ−ＡＣＫは送信されず、ドロップされることができる。言い換えれば、ＵＥはＢＷＰが変更された後、ＨＡＲＱ−ＡＣＫを構成する時、変更後のＢＷＰでスケジューリングされたＰＤＣＳＨに対するＨＡＲＱ−ＡＣＫビットはＨＡＲＱ−ＡＣＫ構成に含まれ、以前のＢＷＰでスケジューリングされたＰＤＳＣＨに対するＨＡＲＱ−ＡＣＫビットはＨＡＲＱ−ＡＣＫ構成に含まれず送信することができる。
【０１２７】
なお、ＣＡ状況では、さらに複数のサービングセルに対するＨＡＲＱ−ＡＣＫビット間の順序が再配列されることができ、これによりＨＡＲＱ−ＡＣＫフィードバックに対するエンコーディングを再度行うことができる。
【０１２８】
但し、かかる問題は、ＢＷＰが変更される区間を十分に長く設定し、該当区間内で新たな（下りリンク）スケジューリングを行わないことにより回避することができる。そうではないと、ＢＷＰスイッチング（Ｓｗｉｔｃｈｉｎｇ）の間に、即ちＢＷＰスイッチングが行われる区間内で発生する（下りリンク）スケジューリングに対するＨＡＲＱ−ＡＣＫフィードバックがいずれも変更前のＢＷＰに対応するか又は変更後のＢＷＰに対応するようにスケジューリングされると期待できる。
【０１２９】
また、実施例３の場合、必要なだけのＨＡＲＱ−ＡＣＫビット数を生成することによりＨＡＲＱ−ＡＣＫフィードバックの検出性能を高めることができる。特に、準−静的ＡＲＱ−ＡＣＫコードブロックの場合、必要なだけのＨＡＲＱ−ＡＣＫビット数を生成することができる。
【０１３０】
具体的には、準−静的ＨＡＲＱ−ＡＣＫコードブロックの場合、ＨＡＲＱ−ＡＣＫビット数を生成するにおいて、変更前のＢＷＰのためのＰＤＣＣＨモニタリング機会に関連するＨＡＲＱ−ＡＣＫビットは生成せず、変更後のＢＷＰのためのＰＤＣＣＨモニタリング機会に関連するＨＡＲＱ−ＡＣＫビットのみを生成することができる。即ち、ＨＡＲＱ−ＡＣＫビット数はＨＡＲＱ−ＡＣＫフィードバックに関連するＰＤＳＣＨ−ｔｏ−ＨＡＲＱフィードバックタイミングによる複数のスロットにおいてＰＤＳＣＨの受信を期待できる候補ＰＤＳＣＨ機会のうち、変更後のＢＷＰに関連する候補ＰＤＳＣＨ機会の数だけのＨＡＲＱ−ＡＣＫビットを生成することができる。
【０１３１】
言い換えれば、ＢＷＰスイッチングが行われた後のＨＡＲＱ−ＡＣＫビット数は、ＢＷＰスイッチングが行われない場合のＨＡＲＱ−ＡＣＫビット数より少ないことができ、但し、ＢＷＰスイッチングが行われた後、一定時間が経過すると、ＨＡＲＱ−ＡＣＫフィードバックに関連する全ての候補ＰＤＳＣＨ機会がＢＷＰ変更後のスロットに存在することになるので、ＢＷＰ変更後に時間の経過によって再度ＨＡＲＱ−ＡＣＫビット数が漸次増加することができる。言い換えれば、ＨＡＲＱ−ＡＣＫビットにドロップされる変更前のＢＷＰに連関する候補ＰＤＳＣＨ機会のためのビットを含まない。
【０１３２】
実施例４
ＵＥはＨＡＲＱ−ＡＣＫフィードバックの時、該当ＨＡＲＱ−ＡＣＫフィードバックに対応する下りリンク連関集合内でＰＤＳＣＨをスケジューリングするＰＤＣＣＨが指示する下りリンクＢＷＰがいずれも同一であると仮定するか、又はＰＤＣＣＨモニタリング機会の集合（ｍｏｎｉｔｏｒｉｎｇ  ｏｃｃａｓｉｏｎ  ｓｅｔ）又はＨＡＲＱ−ＡＣＫフィードバックに対する下りリンク連関集合が同一であると仮定する。
【０１３３】
言い換えれば、一時点でＨＡＲＱ−ＡＣＫフィードバックに対する下りリンク連関集合は、各セルごとに特定の１つのＢＷＰにのみ対応することができる。もし、ＡＲＩ（ＡＣＫ／ＮＡＣＫ  ｒｅｓｏｕｒｃｅ  ｉｎｄｉｃａｔｏｒ）によりＨＡＲＱ−ＡＣＫフィードバックが区分される場合、互いに異なるＯＣＣ（Ｏｒｔｈｏｇｏｎａｌ  Ｃｏｖｅｒ  Ｃｏｄｅ）、周波数／シンボル領域の各々において互いに異なるＨＡＲＱ−ＡＣＫフィードバックが行われると理解して、互いに異なるＨＡＲＱ−ＡＣＫフィードバックの各々について下りリンク連関集合に関連するＢＷＰが個々に設定されると仮定することができる。
【０１３４】
かかる場合、ＢＷＰスイッチング周期（Ｓｗｉｔｃｈｉｎｇ  ｐｅｒｉｏｄ）内でフォールバック動作（ｆａｌｌｂａｃｋ  ｏｐｅｒａｔｉｏｎ）が必要である。具体的には、ＮＲシステムにおいて、ＵＥはＤＣＩフォーマット１＿０のようなフォールバックＤＣＩを１つのみ受信し、受信されたフォールバックＤＣＩのＤＡＩ値が１である場合、該当ＤＣＩに対するＨＡＲＱ−ＡＣＫビットのみを送信することができる。
【０１３５】
また、フォールバックＤＣＩは共通検索空間（Ｃｏｍｍｏｎ  ｓｅａｒｃｈ  ｓｐａｃｅ）で送信されることができる。さらに、ＮＲシステムにおいて、ＵＥはＨＡＲＱ−ＡＣＫに連関する下りリンク連関集合内の１番目のスロット又は１番目のＰＤＣＣＨモニタリング機会にＰＤＣＣＨ及び／又はＰＤＳＣＨを検出した時、該当ＰＤＳＣＨに対するＨＡＲＱ−ＡＣＫビットのみを送信することができる。
【０１３６】
さらに他の方法として、ＢＷＰスイッチング（Ｓｗｉｔｃｈｉｎｇ）はノンフォールバック（ｎｏｎ−ｆａｌｌｂａｃｋ）ＤＣＩと指示されるので、ＤＣＩフォーマットに関係なくＵＥがＤＡＩ＝１であるＤＣＩを１つのみ検出した場合、該当ＰＤＳＣＨに対するＨＡＲＱ−ＡＣＫビットのみを送信することができる。この時、ＤＡＩ＝１のＤＣＩは該当ＰＤＳＣＨをスケジューリングするＤＣＩであることができる。具体的には、ＣＡ状況でもＳＣｅｌｌにおいてＤＡＩ＝１であるＤＣＩが１つのみ送信される場合、即ち、他のセルではＤＡＩ＝１であるＤＣＩが送信されない場合にも該当ＰＤＳＣＨに対するＨＡＲＱ−ＡＣＫビットを送信することができる。
【０１３７】
しかし、準−静的ＨＡＲＱ−ＡＣＫコードブロックを使用する場合、ノンフォールバックＤＣＩについてはＤＡＩフィールドがないこともできる。よって各セルごとにＨＡＲＱ−ＡＣＫに対する下りリンク連関集合に対応する１番目のＰＤＣＣＨモニタリング機会にＰＤＳＣＨをスケジューリングするＰＤＣＣＨを検出した時にのみ該当ＰＤＳＣＨのためのＨＡＲＱ−ＡＣＫビットを送信することができる。即ち、準−静的ＨＡＲＱ−ＡＣＫコードブロックが設定された場合にも該当ＨＡＲＱ−ＡＣＫフィードバックに連関する全てのＰＤＣＣＨモニタリング機会に対するＨＡＲＱ−ＡＣＫビットを生成することではなく、ＤＡＩ＝１を有するＤＣＩに基づくフォールバック動作に関連するＨＡＲＱ−ＡＣＫビットのみを生成することができる。この時、ＢＷＰスイッチング区間の間にＵＥはＤＡＩ＝１を有するＤＣＩに基づくフォールバック動作を活用することができる。
【０１３８】
なお、上述した実施例で設定されたＨＡＲＱ−ＡＣＫコードブロックが準−静的ＨＡＲＱ−ＡＣＫコードブロックであるか又は動的ＨＡＲＱ−ＡＣＫコードブロックであるかによって、ＢＷＰ変更によるＨＡＲＱ−ＡＣＫコードブロックの生成方法が異なることができる。また、本発明の実施例は、必ず１つの実施例単独に行われる必要はなく、実施例の組み合わせにより行われることもできる。即ち、実施例に含まれた複数の方法を組み合わせて使用することができる。例えば、本発明の実施例において、フォールバック動作は常に支援されることができる。
【０１３９】
また、ＤＣＩで指示するＢＷＰインデックス及び／又はＡＲＩの組み合わせによって、ＨＡＲＱ−ＡＣＫに対する下りリンク連関集合が区分されることができる。例えば、互いに異なるＢＷＰ間のＰＤＣＣＨモニタリング機会が一部重なる場合、この重なる領域で送信されたＤＣＩ内のＢＷＰインデックス及び／又はＡＲＩ値に基づいて、ＵＥはＨＡＲＱ−ＡＣＫコードブロックの生成時に参照する下りリンク連関集合をどのＢＷＰを基準とするかを決定できる。即ち、異なるＢＷＰ間のＰＤＣＣＨモニタリング機会が一部重なる場合、特定のＢＷＰ基準の下りリンク連関集合内のＰＤＳＣＨに対応するＰＤＣＣＨは、ＢＷＰインデックス及び／又はＡＲＩが同一であることができる。具体的には、ＡＲＩ値はＡＲＩフィールド値と同一であるか否かによって区分できる。
【０１４０】
また、ＢＷＰごとにＡＲＩが指示できるＰＵＣＣＨリソース集合が異なる場合には、最終的に選択されるＰＵＣＣＨリソースが同一であるか否かによってＨＡＲＱ−ＡＣＫコードブロックの生成及び送信動作が行われる。
【０１４１】
もし、ＢＷＰインデックスは異なり、ＡＲＩが同一である場合は、互いに異なるＢＷＰに対応するＰＤＳＣＨに対するＨＡＲＱ−ＡＣＫが同じチャネルを介して送信されることを考慮できる。具体的には、互いに異なるＢＷＰに対応するＰＤＳＣＨに対するＨＡＲＱ−ＡＣＫは、ＢＷＰごとにＨＡＲＱ−ＡＣＫを各々生成した後に連接する方式で同時送信を行うことができ、より効率的にはペイロードサイズ（ｐａｙｌｏａｄ  ｓｉｚｅ）を減らすために互いに異なるＢＷＰに対する下りリンク連関集合について和集合でＨＡＲＱ−ＡＣＫを生成することもできる。
【０１４２】
なお、本発明の実施例において、準−静的ＨＡＲＱ−ＡＣＫコードブロック又は動的ＨＡＲＱ−ＡＣＫコードブロックは、ＢＷＰとは関係なくＵＥ特定に設定されることができ、又はコードブロックタイプがＢＷＰごとに設定される場合には、全て同じ設定を有することもできる。
【０１４３】
ＮＲシステムではＨＡＲＱ−ＡＣＫコードブロックの構成方法が上位層シグナリングにより変更されることができる。かかる場合、ＲＲＣ再設定周期（ｒｅｃｏｎｆｉｇｕｒａｔｉｏｎ  ｐｅｒｉｏｄ）の間にＵＥとｇＮＢの間の曖昧性（ａｍｂｉｇｕｉｔｙ）なしに動作できる方法が求められることができる。この時、周期内では、上述した実施例で言及したフォールバック動作（ｆａｌｌｂａｃｋ  ｏｐｅｒａｔｉｏｎ）方式によりｇＮＢとＵＥの間の曖昧性（ａｍｂｉｇｕｉｔｙ）を解決することを考慮できる。
【０１４４】
ＨＡＲＱ−ＡＣＫコードブロックタイプは、下りリンクＢＷＰ及び／又は上りリンクＢＷＰによって準−静的ＨＡＲＱ−ＡＣＫコードブロックが設定されるか又は動的ＨＡＲＱ−ＡＣＫコードブロックが設定されるかが決定される。具体的には、下りリンクＢＷＰによってＨＡＲＱ−ＡＣＫフィードバックに対する下りリンク連関集合のサイズが異なる場合、準−静的ＨＡＲＱ−ＡＣＫコードブロックが有用であり、逆に動的ＨＡＲＱ−ＡＣＫコードブロックが有用である。
【０１４５】
例えば、下りリンク連関集合が大きい場合、ＨＡＲＱ−ＡＣＫコードブロックのサイズも大きくなることができるので、動的ＨＡＲＱ−ＡＣＫコードブロックに設定されることもできる。
【０１４６】
反面、下りリンクＢＷＰによってチャネル品質（ｃｈａｎｎｅｌ  ｑｕａｌｉｔｙ）又は干渉（ｉｎｔｅｒｆｅｒｅｎｃｅ）の環境変化によってＤＡＩ基盤の動的ＨＡＲＱ−ＡＣＫコードブロックの使用時に曖昧性が発生可能な場合には、準−静的ＨＡＲＱ−ＡＣＫコードブロックを活用することもできる。かかる場合、ＵＥがＢＷＰを動的に変更することによってＨＡＲＱ−ＡＣＫコードブロックタイプも動的に変更できる。
【０１４７】
基本的にはＰＵＣＣＨはＰＳＣｅｌｌ又はＰＵＣＣＨ−ＳＣｅｌｌを含むＰＣｅｌｌで送信されるので、ＰＣｅｌｌの（下りリンク）ＢＷＰによってＨＡＲＱ−ＡＣＫコードブロックタイプ（ｃｏｄｅｂｏｏｋ  ｔｙｐｅ）が決定される。例えば、ＳＣｅｌｌにおけるＤＣＩ内のＤＡＩフィールドの存在有無もＰＣｅｌｌのＢＷＰで設定されたＨＡＲＱ−ＡＣＫコードブロックが動的ＨＡＲＱ−ＡＣＫコードブロックである場合にのみＤＡＩフィールドが存在することができる。但し、かかる場合にも、フォールバックＤＣＩは相変わらずカウンタＤＡＩフィールドを有することができる。
【０１４８】
なお、ＢＷＰの実施変更時点を基準としてＤＡＩフィールドが生成されるか又は除外されることができる。ＵＥはＨＡＲＱ−ＡＣＫフィードバックの時、該当ＨＡＲＱ−ＡＣＫフィードバックに対応する下りリンク連関集合内のＰＤＣＣＨが指示する下りリンクＢＷＰが全て同一であると仮定する。即ち、ＨＡＲＱ−ＡＣＫフィードバックに連関するＤＣＩは、いずれも準−静的ＨＡＲＱ−ＡＣＫコードブロックを仮定したものであるか、又は動的ＨＡＲＱ−ＡＣＫコードブロックを仮定したものと言える。具体的には、ＨＡＲＱ−ＡＣＫフィードバックはこれに連関するＤＣＩ内のＢＷＰインデックス及び／又はＡＲ値で区部され、同一のＨＡＲＱ−ＡＣＫフィードバックチャネル（ｆｅｅｄｂａｃｋ  ｃｈａｎｎｅｌ）或いは同一のＨＡＲＱ−ＡＣＫフィードバックチャネルグループに対応するＤＣＩは同じ値のＢＷＰインデックス及び／又はＡＲＩ値を有することができる。
【０１４９】
また、検索空間の設定（Ｓｅａｒｃｈ  ｓｐａｃｅ  ｃｏｎｆｉｇｕｒａｔｉｏｎ）が変わる場合のようにＢＷＰが変更する区間又はＢＷＰが変更される場合、フォールバック動作（ｆａｌｌｂａｃｋ  ｏｐｅｒａｔｉｏｎ）が行われることができる。ここで、フォールバック動作とは、ＤＡＩ＝１を有するＤＣＩに基づく動作を意味するか、又は設定されたセルの下りリンク連関集合の１番目のＰＤＣＣＨモニタリング機会でのみＤＣＩを検出する動作を意味する。
【０１５０】
一方、ＤＣＩベースＢＷＰ変更（ＤＣＩ  ｂａｓｅｄ  ＢＷＰ  ｓｗｉｔｃｈｉｎｇ）によって、変更されたＢＷＰにおいて必要なＤＣＩフィールドサイズと実際に送信されたＤＣＩフィールドサイズとの不一致があり得る。
【０１５１】
例えば、図１８から分かるように、変更前ＢＷＰでＤＣＩを受信して、受信されたＤＣＩの指示に従ってＢＷＰが変更されるが、このとき、ＤＣＩが変更後ＢＷＰでＰＤＳＣＨをスケジューリングする場合、変更前ＢＷＰのための設定によって必要なＤＣiビットの数と変更後ＢＷＰのための設定によって必要なＤＣＩビットの数との不一致が生じ得る。即ち、変更後ＢＷＰで送信されるＰＤＳＣＨスケジューリングに必要なビットのサイズが実際に変更前ＢＷＰで送信されたＤＣＩのビットのサイズと異なる場合が生じ得る。
【０１５２】
この場合、不一致の生じ得る関連設定（ｃｏｎｆｉｇｕｒａｔｉｏｎ）に従い、ＤＣＩフィールドに含まれた関連設定のためのビットフィールドは、ＤＣＩに含まれた情報を解釈する前にゼロパディング（ｚｅｒｏ  ｐａｄｄｉｎｇ）されるか切断（ｔｒｕｎｃａｔｅｄ）されてもよい。即ち、ＵＥがＤＣＩを解釈するとき、関連設定のためのビットフィールドは、ゼロパディング（ｚｅｒｏ  ｐａｄｄｉｎｇ）されるか切断（ｔｒｕｎｃａｔｅｄ）されると仮定した上、ＤＣＩを解釈してもよい。
【０１５３】
仮に、変更されたＢＷＰのために必要なビットフィールドサイズが実際に送信されたＤＣＩのビットフィールドサイズより小さいが同一である場合、ＤＣＩが該当ビットフィールドの可能な全ての値を示すことができるため、フィールドサイズの差によるスケジューリングの制限が発生しない。しかし、変更されたＢＷＰのために必要なビットフィールドサイズが実際に送信されたＤＣＩのビットフィールドサイズより大きい場合、ＤＣＩは変更されたＢＷＰのために必要なビットフィールドの一部値を指示することができず、よって、ＰＤＳＣＨスケジューリングに制限をもたらす可能性がある。
【０１５４】
よって、本発明では、ＢＷＰの変更によってＰＤＳＣＨをスケジューリングするために必要なＤＣＩのサイズと、実際に送信されたＤＣＩサイズとの間に不一致が発生した場合、これに対するＵＥのＤＣＩ解釈方法について説明する。
【０１５５】
各々のＤＣＩフォーマットの解釈方法を説明するに先立って、図１９乃至図２１によって、本発明の実施例によるＵＥ、基地局及びネットワークの観点からの動作を説明する。
【０１５６】
図１９は、ＵＥ観点からの本発明による動作過程を示す。図１９を参照すると、ＵＥは、活性ＢＷＰを第１のＢＷＰから第２のＢＷＰに変更するための第１の情報を含むＤＣＩを受信して（Ｓ１９０１）、第２のＢＷＰのための設定に基づいて、ＤＣＩに含まれたＰＤＳＣＨスケジューリングに関する情報を解釈して取得する（Ｓ１９０３）。このとき、ＤＣＩに含まれたビットは、第１のＢＷＰのための設定に基づいて生成されることができるが、第２のＢＷＰで受信されるＰＤＳＣＨのためのスケジューリング情報を解釈するためには、第２のＢＷＰのための設定に基づくビットが必要となり、このように、ＰＤＳＣＨスケジューリング情報を解釈するために必要なビット数と実際に受信されたＤＣＩに含まれたビット数とで不一致が発生した場合、後述する実施例に従い、ＵＥが受信されたＤＣＩを解釈して、ＰＤＳＣＨのためのスケジューリング情報を取得することができる。
【０１５７】
また、ＵＥが後述する実施例に従って受信されたＤＣＩ解釈によってＰＤＳＣＨスケジューリング情報を取得すれば、取得されたＰＤＳＣＨスケジューリング情報に基づいて第２のＢＷＰでＰＤＳＣＨを受信することができる（Ｓ１９０５）。
【０１５８】
図２０は、本発明の実施例による基地局の動作過程を説明するための図である。図２０を参照すると、基地局は活性ＢＷＰを第１のＢＷＰから第２のＢＷＰに変更するための第１の情報を含むＤＣＩをＵＥに送信することができる（Ｓ２００１）。このとき、ＤＣＩには、活性ＢＷＰの変更の他にも、ＰＤＳＣＨをスケジューリングするための多様な情報を含んでもよく、このとき、ＰＤＳＣＨは第２のＢＷＰで送信されるようにスケジューリングされてもよいが、ＤＣＩ生成の基準は第１のＢＷＰのための設定となってもよい。即ち、ＤＣＩビットサイズは、第１のＢＷＰのための設定を基準として定められることができ、実際に第２のＢＷＰで送信されるＰＤＳＣＨをスケジューリングするために、ＵＥにとって必要なビットのサイズと一致しない可能性がある。
【０１５９】
よって、このような不一致によって生じる各ビットフィールドの解釈方法は、後述する実施例に従うことができる。但し、第２のＢＷＰのために必要なビットサイズが実際に送信されたＤＣＩのビットサイズより大きい場合、基地局は、これを考慮して第２のＢＷＰでＰＤＳＣＨをスケジューリングすることができる。即ち、基地局は、ＵＥが第１のＢＷＰのための設定と第２のＢＷＰのための設定との不一致によって生じ得るＤＣＩのサイズの曖昧性（ａｍｂｉｇｕｉｔｙ）を考慮して、実際に送信されたＤＣＩのビットサイズで表現可能な範囲内で第２のＢＷＰにおけるＰＤＳＣＨをスケジューリングすることもできる。一方、基地局は、ＤＣＩに基づいて第２のＢＷＰでＰＤＳＣＨを送信することができる（Ｓ２００３）。
【０１６０】
本発明の実施例によるネットワーク観点からの動作過程を図２１に基づいて説明すると、基地局は、活性ＢＷＰを第１のＢＷＰから第２のＢＷＰに変更するための第１の情報を含むＤＣＩをＵＥに送信することができる（Ｓ２１０１）。このとき、ＤＣＩに活性ＢＷＰの変更の他にも、ＰＤＳＣＨをスケジューリングするための多様な情報を含んでもよく、このとき、ＰＤＳＣＨは第２のＢＷＰで送信されるようにスケジューリングされてもよいが、ＤＣＩ生成の基準は第１のＢＷＰのための設定となってもよい。即ち、ＤＣＩビットサイズは、第１のＢＷＰのための設定を基準として定められることができ、実際に第２のＢＷＰで送信されるＰＤＳＣＨをスケジューリングするために、ＵＥにとって必要なビットのサイズと一致しない可能性がある。
【０１６１】
よって、このような不一致によって生じる各ビットフィールドの解釈方法は、後述する実施例に従うことができる。但し、第２のＢＷＰのために必要なビットサイズが実際に送信されたＤＣＩのビットサイズより大きい場合、基地局は、これを考慮して第２のＢＷＰでＰＤＳＣＨをスケジューリングすることができる。即ち、基地局は、ＵＥが第１のＢＷＰのための設定と第２のＢＷＰのための設定との不一致によって生じ得るＤＣＩのサイズの曖昧性（ａｍｂｉｇｕｉｔｙ）を考慮して、実際に送信されたＤＣＩのビットサイズで表現可能な範囲内で第２のＢＷＰにおけるＰＤＳＣＨをスケジューリングすることもできる。
【０１６２】
一方、ＤＣＩを受信したＵＥは、第２のＢＷＰのための設定に基づいてＤＣＩに含まれたＰＤＳＣＨスケジューリングに関する情報を解釈して取得する（Ｓ２１０３）。このとき、ＤＣＩに含まれたビットは、第１のＢＷＰのための設定に基づいて生成されることができるため、第２のＢＷＰで受信されるＰＤＳＣＨのためのスケジューリング情報を解釈するためには、第２のＢＷＰのための設定に基づくビットが必要である。このように、ＰＤＳＣＨスケジューリング情報を解釈するために必要なビットの数と、実際に受信されたＤＣＩに含まれたビットの数とで不一致が発生した場合、後述する実施例に従ってＵＥが受信されたＤＣＩを解釈して、ＰＤＳＣＨのためのスケジューリング情報を取得することができる。一方、基地局は、ＤＣＩに基づいて第２のＢＷＰでＰＤＳＣＨを送信することができる（Ｓ２１０５）。
【０１６３】
ここで、ＰＤＳＣＨをスケジューリングするためのＤＣＩフォーマット別に、変更されたＢＷＰのために必要なＤＣＩビットサイズと、実際に送信されたＤＣＩビットサイズとで不一致が発生した場合の解釈方法について説明する。
【０１６４】
〔表４〕は、ＢＷＰ変更（ｓｗｉｔｃｈｉｎｇ）によって、ＤＣＩを解釈する前にゼロパディングが行われるか切断（ｔｒｕｎｃａｔｅｄ）される必要のあるＤＣＩフォーマット０＿１のフィールドを示す。
【０１６５】
【表４】
2020516101.tif 000006
2020516101.tif 000007
【０１６６】
〔表４〕を参照して、ＢＷＰ変更によるＤＣＩフォーマット０＿１に含まれたＤＣＩフィールドの解釈方法について説明すると、周波数／時間領域リソース割り当て（Ｆｒｅｑｕｅｎｃｙ／Ｔｉｍｅ−ｄｏｍａｉｎ  ｒｅｓｏｕｒｃｅ  ａｓｓｉｇｎｍｅｎｔ）のためのビットフィールドにゼロパディングを行う場合、スケジューリング柔軟性（ｓｃｈｅｄｕｌｉｎｇ  ｆｌｅｘｉｂｉｌｉｔｙ）は制限されるものの、システムの複雑性（ｃｏｍｐｌｅｘｉｔｙ）が減少できる。また、周波数ホッピングを行う場合、ゼロパディングはＰＵＳＣＨ送信に非−周波数ホッピング（ｎｏｎ−ｆｒｅｑｕｅｎｃｙ  ｈｏｐｐｉｎｇ）が用いられることを意味する。一方、活性ＵＬ（Ｕｐｌｉｎｋ）ＢＷＰが変更された後、ＳＲＳ（Ｓｏｕｎｄｉｎｇ  Ｒｅｆｅｒｅｎｃｅ  Ｓｉｇｎａｌ）が送信されるため、ｇＮＢは新たなＢＷＰに対するチャネル状態又はビーム情報に関する正確な情報がなく、ＵＬ  ＢＷＰ変更を指示するＤＣＩフォーマット０＿１をスケジューリングすることになる。また、ＢＷＰ変更がトリガ（ｔｒｉｇｇｅｒ）される場合、フォールバックＤＣＩ（例えば、ＤＣＩフォーマット０＿０）を用いることができないため、ＢＷＰ変更（ｓｗｉｔｃｈｉｎｇ）によるＴＣＩ（Ｔｒａｎｓｍｉｓｓｉｏｎ  Ｃｏｎｆｉｇｕｒａｔｉｏｎ  Ｉｎｄｉｃａｔｉｏｎ）、ＭＣＳ（Ｍｏｄｕｌａｔｉｏｎ  &  Ｃｏｄｉｎｇ  Ｓｃｈｅｍｅ）及び／又はＳＲＩ（Ｓｃｈｅｄｕｌｉｎｇ  Ｒｅｑｕｅｓｔ  Ｉｎｄｉｃａｔｏｒ）などの情報が正確ではない可能性がある。一方、新たなＢＷＰに関する情報が不正確となることは、各々のＤＣＩフィールドに使用可能なビット数に関係なく発生することができる。
【０１６７】
同様に、アンテナ（Ａｎｔｅｎｎａ）ポート又はＰＴＲＳ−ＤＭＲＳ連関において、ｇＮＢはＳＲＳ受信前にはＰＵＳＣＨ又はＰＴＲＳ（Ｐｈａｓｅ  Ｔｒａｃｋｉｎｇ  Ｒｅｆｅｒｅｎｃｅ  Ｓｉｇｎａｌ）を送信するために最も適したＤＭＲＳ（Ｄｅｍｏｄｕｌａｔｉｏｎ  Ｒｅｆｅｒｅｎｃｅ  Ｓｉｇｎａｌ）ポートを正確に把握することができないため、アンテナポート又はＰＴＲＳ−ＤＭＲＳ連関に関するビットフィールドサイズの制限を誘発しない。換言すれば、基地局が変更後ＢＷＰに対するアンテナポート又はＰＴＲＳ−ＤＭＲＳ連関情報を正確に把握することができないため、ビットフィールドサイズの制限には関係なく、新たなＢＷＰ関連アンテナポート又はＰＴＲＳ−ＤＭＲＳ連関情報が不正確である可能性がある。
【０１６８】
ベータオフセット指示子（ｂｅｔａ  ｏｆｆｓｅｔ  ｉｎｄｉｃａｔｏｒ）は、半−静的ベータオフセット（ｓｅｍｉ−ｓｔａｔｉｃ  ｂｅｔａ  ｏｆｆｓｅｔ）を保守的に設定する必要があるため、動的ベータオフセット指示子（ｄｙｎａｍｉｃ  ｂｅｔａ  ｏｆｆｓｅｔ  ｉｎｄｉｃａｔｏｒ）を用いることができる。一方、ベータオフセット指示子によって指示可能な値のうち１つは保守的に設定する必要がある。例えば、保守的に設定される値は、ビットフィールドインデックス０を用いて指示されることができる。
【０１６９】
ＤＭＲＳシーケンス初期化（ＤＭＲＳ  ｓｅｑｕｅｎｃｅ  ｉｎｉｔｉａｌｉｚａｔｉｏｎ）は、ＭＵ−ＭＩＭＯ（Ｍｕｌｔｉ  Ｕｓｅｒ−Ｍｕｌｔｉ  Ｉｎｐｕｔ  Ｍｕｌｔｉ  Ｏｕｔｐｕｔ）を支援するために用いられることができる。たとえＵＬ  ＢＷＰ変更を指示するＤＣＩフォーマット０＿１がＤＭＲＳシーケンス初期化のためのビットフィールドを有さないか、ＤＭＲＳシーケンス初期化の値が０と設定されても、ｇＮＢは他のＵＥがＭＵ−ＭＩＭＯ動作を支援するように、１のＤＭＲＳシーケンス初期化を指示するＤＣＩをスケジューリングすることができる。
【０１７０】
上述した内容をまとめると、変更後ＢＷＰのためのビットフィールドのうち、多くの部分が切断（Ｔｒｕｎｃａｔｉｎｇ）されても、ＤＣＩフォーマット０＿１のビットフィールドを選択するのに何ら制限を加えない。即ち、ＢＷＰを変更する場合にも、ＤＣＩフォーマット０＿１のビットフィールドがそのまま用いられる。但し、ビットフィールドのサイズとは関係なく、ＳＲＳリソース指示、プリコーディング情報、レイヤ数、アンテナポート及び／又はＰＴＲＳ−ＤＭＲＳ連関情報などのような幾つかのＤＣＩフィールドに関する情報が正確ではない可能性がある。
【０１７１】
〔表５〕は、ＢＷＰ変更によって、ＤＣＩを解釈する前にゼロパディングを行うか切断（ｔｒｕｎｃａｔｅｄ）する必要のあるＤＣＩフォーマット１＿１のフィールドを示す。
【０１７２】
【表５】
2020516101.tif 000008
2020516101.tif 000009
【０１７３】
周波数／時間領域リソース割り当て（Ｆｒｅｑｕｅｎｃｙ／Ｔｉｍｅ−ｄｏｍａｉｎ  ｒｅｓｏｕｒｃｅ  ａｓｓｉｇｎｍｅｎｔ）のためのビットフィールドにゼロパディングを行う場合、スケジューリング柔軟性（ｓｃｈｅｄｕｌｉｎｇ  ｆｌｅｘｉｂｉｌｉｔｙ）は制限されるものの、システムの複雑性（ｃｏｍｐｌｅｘｉｔｙ）が減少できる。
【０１７４】
ＶＲＢ−ｔｏ−ＰＲＢマッピングフィールドがゼロパディングされた場合、インターリーブされなかった（ｎｏｎ−ｉｎｔｅｒｌｅａｖｅｄ）ＶＲＢ−ｔｏ−ＰＲＢマッピングがＰＤＳＣＨ送信のために用いられることと解釈されてもよい。
【０１７５】
ＰＲＢバンドリングサイズ指示子（ＰＲＢ  Ｂｕｎｄｌｉｎｇ  ｓｉｚｅ  ｉｎｄｉｃａｔｏｒ）がゼロパディングされた場合、２番目のＰＲＢバンドリングサイズの値がＰＤＳＣＨ受信のために用いられることと解釈されてもよい。このように解釈されるといっても、半静的ＰＲＢバンドリングサイズ（ｓｅｍｉ−ｓｔａｔｉｃ  ＰＲＢ  ｂｕｎｄｌｉｎｇ  ｓｉｚｅ）に比べて、スケジューリング柔軟性（Ｓｃｈｅｄｕｌｉｎｇ  Ｆｌｅｘｉｂｉｌｉｔｙ）の側面において不利なわけではない。
【０１７６】
レートマッチング指示子（Ｒａｔｅ−Ｍａｔｃｈｉｎｇ  Ｉｎｄｉｃａｔｏｒ）又はＺＰ  ＣＳＩ−ＲＳトリガ（ＺＰ  ＣＳＩ−ＲＳ  Ｔｒｉｇｇｅｒ）は、レートマッチング指示子（Ｒａｔｅ−Ｍａｔｃｈｉｎｇ  Ｉｎｄｉｃａｔｏｒ）又はゼロパワーＣＳＩ−ＲＳトリガ（ＺＰ  ＣＳＩ−ＲＳ  Ｔｒｉｇｇｅｒ）によって指示されるレートマッチングパターン又はＺＰ  ＣＳＩ−ＲＳパターンが時間／周波数ドメインリソース割り当て（Ｔｉｍｅ／Ｆｒｅｑｕｅｎｃｙ  Ｄｏｍａｉｎ  Ｒｅｓｏｕｒｃｅ  Ａｓｓｉｇｎｍｅｎｔ）によって指示される割り当てリソースと全部又は一部が重なる場合に限って意味があり得る。よって、レートマッチング指示子又はＺＰ  ＣＳＩ−ＲＳトリガのビットフィールドサイズに制約が存在しても、ｇＮＢはレートマッチング指示子又はＺＰ  ＣＳＩ−ＲＳトリガによって指示できないレートマッチングパターン又はＺＰ  ＣＳＩ−ＲＳパターンと割り当てられたリソースが重ならないように制御することができる。換言すれば、レートマッチング指示子又はＺＰ  ＣＳＩ−ＲＳトリガのビットフィールドサイズを制約しても、ＵＥ及び基地局の動作には問題がない。
【０１７７】
送信ブロック２（Ｔｒａｎｓｐｏｒｔ  Ｂｌｏｃｋ  ２）に対するビットフィールドにおいて、活性ＤＬ  ＢＷＰ変更（Ｓｗｔｉｃｈｉｎｇ）を指示するＤＣＩフォーマット１＿１がただ１個の送信ブロックをスケジューリングすることができるが、新たなＢＷＰ（即ち、変更後ＢＷＰ）が最大２個の送信ブロックを支援する場合、２番目の送信ブロックをディセーブル（ｄｉｓａｂｌｅ）する必要がある。換言すれば、活性ＤＬ  ＢＷＰ変更を指示するＤＣＩフォーマット１＿１が送信される変更前ＢＷＰがただ１個の送信ブロックを支援するものの、新たなＢＷＰが最大２個の送信ブロックを支援する場合、２番目の送信ブロックをディセーブル（ｄｉｓａｂｌｅ）する必要がある。よって、この場合、送信ブロックのサイズを決定するために、送信ブロックをディセーブル（Ｄｉｓａｂｌｅ）するという条件を追加してもよい。具体的に、上位層によって設定されるパラメータである「ｍａｘＮｒｏｆＣｏｄｅＷｏｒｄｓＳｃｈｅｄｕｌｅｄＢｙＤＣＩ」が変更後ＢＷＰに対して２個のコードワード送信がイネーブル（ｅｎａｂｌｅ）されることを指示しても、活性ＢＷＰ変更を指示するＤＣＩが１個のＭＣＳ（Ｍｏｄｕｌａｔｉｏｎ＆Ｃｏｄｉｎｇ  Ｓｃｈｅｍｅ）、ＮＤＩ（Ｎｅｗ  Ｄａｔａ  Ｉｎｄｉｃａｔｏｒ）及びＲＶ（Ｒｅｄｕｎｄａｎｃｙ  Ｖｅｒｓｉｏｎ）ビットフィールド集合（ｓｅｔ）のみを含んでいる場合、１個の送信ブロックだけイネーブル（ｅｎａｂｌｅ）されることができる。換言すれば、上位層によって変更後ＢＷＰのための「ｍａｘＮｒｏｆＣｏｄｅＷｏｒｄｓＳｃｈｅｄｕｌｅｄＢｙＤＣＩ」が２と設定されても、変更前ＢＷＰで送信される活性ＢＷＰの変更を指示するＤＣＩに、ＭＣＳ、ＮＤＩ及びＲＶビットフィールド集合が１個だけある場合、２番目の送信ブロックは、ディセーブル（ｄｉｓａｂｌｅ）されることができる。
【０１７８】
ここで、２番目の送信ブロックがディセーブル（ｄｉｓａｂｌｅ）されるとは、ＵＥがＤＣＩフォーマット１＿１において２番目の送信ブロックのためのＭＣＳ、ＮＤＩ及びＲＶビットフィールド集合がゼロパディングされ送信されることと仮定して、ＤＣＩを検出することを意味してもよく、ＵＥがＤＣＩフォーマット１＿１において２番目の送信ブロックのためのＭＣＳ、ＮＤＩ及びＲＶビットフィールド集合を無視（ｉｇｎｏｒｅ）することを意味してもよい。また、上述した２つの意味を両方含んでもよい。即ち、ＵＥはＤＣＩフォーマット１＿１において２番目の送信ブロックのためのＭＣＳ、ＮＤＩ及びＲＶビットフィールド集合がゼロパディングされたと仮定して、該当フィールド集合を無視することができる。
【０１７９】
アンテナポート（Ａｎｔｅｎｎａ  ｐｏｒｔｓ）又は送信設定指示（Ｔｒａｎｓｍｉｓｓｉｏｎ  Ｃｏｎｆｉｇｕｒａｔｉｏｎ  Ｉｎｄｉｃａｔｉｏｎ；ＴＣＩ）において、ｇＮＢは、変更後ＢＷＰ（即ち、新たなＢＷＰ）でＰＤＳＣＨを送信するために最適化されたＤＭＲＳポート又はビーム方向が分からないため、アンテナポート又はＴＣＩのビットフィールドサイズに対する制限が、ｇＮＢがＤＣＩの構成ために必要な選択に対する制限を引き起こすと見なすことはできない。
【０１８０】
ＤＭＲＳシーケンス初期化（ＤＭＲＳ  Ｓｅｑｕｅｎｃｅ  Ｉｎｉｔｉａｌｉｚａｔｉｏｎ）は、ＭＵ−ＭＩＭＯを支援するために用いられる。ＤＬ  ＢＷＰ変更（Ｓｗｉｔｃｈｉｎｇ）を指示するためのＤＣＩフォーマット１＿１がＤＭＲＳシーケンス初期化のためのビットフィールドを有さず、ＤＭＲＳシーケンス初期化のための値が０と設定されても、ｇＮＢは、ＭＵ−ＭＩＭＯ動作を支援する他のＵＥのために、ＤＭＲＳシーケンス初期化を指示するために該当値を「１」と有するＤＣＩをスケジューリングすることができる。
【０１８１】
換言すれば、ビットフィールドのサイズには関係なく、アンテナポート又はＴＣＩのような一部のＤＣＩフィールドの場合は、ネットワークが変更後ＢＷＰに対応する各フィールドに関する情報を正確に分からない場合もある。よって、変更後ＢＷＰに対応するビットフィールドを多く切断（Ｔｒｕｎｃａｔｅ）しても、ＤＣＩフォーマット１＿１のためのビットフィールド選択に何ら制約がない可能性がある。
【０１８２】
ＭＩＭＯ関連パラメータにおいて、ｇＮＢは、ＢＷＰ変更（Ｓｗｉｔｃｈｉｎｇ）の後、ＣＳＩ−ＲＳ又はＳＲＳが送信されるため、ＰＤＳＣＨ又はＰＵＳＣＨをスケジューリングするために新たなＢＷＰ（即ち、変更後ＢＷＰ）に対するチャネル推定又はビーム検出（ｂｅａｍ  ｄｅｔｅｃｔｉｏｎ）を行うことができない。この場合、ＤＣＩで指示されたＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）、アンテナポート、ＳＲＩ（Ｓｃｈｅｄｕｌｉｎｇ  Ｒｅｑｕｅｓｔ  Ｉｎｄｉｃａｔｏｒ）又はＴＣＩ（Ｔｒａｎｓｍｉｓｓｉｏｎ  Ｃｏｎｆｉｇｕｒａｔｉｏｎ  Ｉｎｄｉｃａｔｏｒ）を用いる代わりに、ＲＲＣ（Ｒａｄｉｏ  Ｒｅｓｏｕｒｃｅ  Ｃｏｎｔｒｏｌ）設定（Ｃｏｎｆｉｇｕｒａｔｉｏｎ）前に予め設定された初期送信（Ｉｎｉｔｉａｌ  Ｔｒａｎｓｍｉｓｓｉｏｎ）における基本設定（ｄｅｆａｕｌｔ  ｓｅｔｔｉｎｇ）を用いることが考えられる。
【０１８３】
具体的に、ＰＵＳＣＨが活性ＵＬ  ＢＷＰ変更（Ｓｗｉｔｃｈｉｎｇ）を指示するＤＣＩによってスケジューリングされる場合、ＰＵＳＣＨ送信のためのビーム情報は、ＰＵＣＣＨリソースのうち最低のインデックスを有するＰＵＣＣＨリソースのビーム情報と同一ビーム情報を用いることができる。
【０１８４】
また、ＰＤＳＣＨが活性ＤＬ  ＢＷＰ変更（Ｓｗｉｔｃｈｉｎｇ）を指示するＤＣＩによってスケジューリングされる場合、ＰＤＳＣＨ送信のためのビーム情報は、ＣＯＲＥＳＥＴ（Ｃｏｎｔｒｏｌ  Ｒｅｓｏｕｒｃｅ  Ｓｅｔ）のうち、最低のインデックスを有するＣＯＲＥＳＥＴのビーム情報と同一ビーム情報を用いることができる。
【０１８５】
一方、上述のような動作は、フォールバックＤＣＩによってスケジューリングされたＰＤＳＣＨ／ＰＵＳＣＨのように動作するように、ノン−フォールバックＤＣＩのうちフォールバックＤＣＩフォーマットに存在しないＤＣＩフィールドを無視（ｉｇｎｏｒｅ）することができる。換言すれば、基本設定が仮定される場合、ＢＷＰ変更を指示するＤＣＩを単純化するために、フォールバックＤＣＩフォーマットが存在しないＤＣＩフィールドを無視することが考えられる。
【０１８６】
即ち、ＢＷＰ変更（Ｓｗｉｔｃｈｉｎｇ）を指示するＤＣＩによって変更後ＢＷＰでスケジューリングされるＰＤＳＣＨ送信に対して、ＱＣＬ（Ｑｕａｓｉ  Ｃｏ  Ｌｏｃａｔｉｏｎ）情報、空間的関係（ｓｐａｔｉａｌ  ｒｅｌａｔｉｏｎ）情報又は送信設定指示（ｔｒａｎｓｍｉｓｓｉｏｎ  ｃｏｎｆｉｇｕｒａｔｉｏｎ  ｉｎｄｉｃａｔｉｏｎ；ＴＣＩ）情報は、最低のインデックスのＣＯＲＥＳＥＴと同様に仮定されることができる。換言すれば、ＢＷＰ変更を指示するＤＣＩによって変更後ＢＷＰでスケジューリングされるＰＤＳＣＨ送信に対するＱＣＬ情報、空間的関係情報又はＴＣＩ情報は、ＢＷＰ変更を指示するＤＣＩに関するＣＯＲＥＳＥＴのために設定されたＱＣＬ情報、空間的関係情報又はＴＣＩ情報と同一であってもよい。或いは、新たなＢＷＰ（即ち、変更後ＢＷＰ）においてフォールバック（ｆａｌｌｂａｃｋ）ＤＣＩによってスケジューリングされるＰＤＳＣＨに対するＱＣＬ情報、空間的関係情報又はＴＣＩ情報と同一であると仮定することもできる。
【０１８７】
同様に、ＢＷＰ変更（ｓｗｉｔｃｈｉｎｇ）を指示するＤＣＩでスケジューリング（ｓｃｈｅｄｕｌｉｎｇ）されるＰＵＳＣＨ送信において、ＱＣＬ情報、空間的関係情報又はＳＲＳリソース指示（ＳＲＳ  ｒｅｓｏｕｒｃｅ  ｉｎｄｉｃａｔｏｒ）情報を最低のインデックスのＰＵＣＣＨと同一のものと仮定するか、新たなＢＷＰにおけるＭｓｇ３に対するＱＣＬ情報、空間的関係情報又はＳＲＳリソース指示（ＳＲＳ  ｒｅｓｏｕｒｃｅ  ｉｎｄｉｃａｔｏｒ）情報と同一であると仮定することができる。具体的に、上述した方法は、ＢＷＰを変更するためのＤＣＩに対して一括的に適用されてもよい。
【０１８８】
但し、ＤＣＩベースＢＷＰ変更は、流動的に発生する可能性があるため、場合によっては、ＤＣＩ指示（ｉｎｄｉｃａｔｉｏｎ）ベースのＭＩＭＯパラメータ値を用いるために、ＭＩＭＯ関連パラメータの特定の組み合わせに限って基本設定（ｄｅｆａｕｌｔ  ｓｅｔｔｉｎｇ）による動作を行うこともできる。例えば、ＭＩＭＯ関連パラメータが全て０と設定された場合、基本設定（ｄｅｆａｕｌｔ  ｓｅｔｔｉｎｇ）による動作を行うことができる。
【０１８９】
図２２は、本発明の実施例による無線通信装置の一実施例を示す。
【０１９０】
図２２に示す無線通信装置は、本発明の実施例による端末及び／又は基地局を示すことができる。しかし、図２２の無線通信装置は、本実施例による端末及び／又は基地局に必ずしも限られるものではなく、車両通信システム又は装置、ウェアラブル（ｗｅａｒａｂｌｅ）装置、ラップトップ、スマートホンなどのような様々な装置に取り替えられることができる。
【０１９１】
図２２を参照すると、本発明の実施例による端末及び／又は基地局は、デジタル信号プロセッサ（Ｄｉｇｉｔａｌ  Ｓｉｇｎａｌ  Ｐｒｏｃｅｓｓｏｒ；ＤＳＰ）又はマイクロプロセッサのような少なくとも１つのプロセッサ１０、トランシーバ（Ｔｒａｎｓｃｅｉｖｅｒ）３５、電力管理モジュール５、アンテナ４０、バッテリー５５、ディスプレー１５、キーパッド２０、メモリ３０、加入者識別モジュール（ＳＩＭ）カード２５、スピーカ４５及びマイクロホン５０などを含むことができる。また、端末及び／又は基地局は、単一アンテナ又は多重アンテナを含むことができる。一方、トランシーバ（Ｔｒａｎｓｃｅｉｖｅｒ）３５は、ＲＦモジュール（Ｒａｄｉｏ  Ｆｒｅｑｕｅｎｃｙ  Ｍｏｄｕｌｅ）とも呼ばれる。
【０１９２】
プロセッサ１０は、図１乃至図２１に説明された機能、手順及び／又は方法を具現するように構成される。図１乃至図２１に説明された実施例のうち少なくとも一部において、プロセッサ１０は、無線インターフェースプロトコルの層（例えば、機能層（ｆｕｎｃｔｉｏｎａｌ  ｌａｙｅｒｓ））のような１つ以上のプロトコルを具現することができる。
【０１９３】
メモリ３０は、プロセッサ１０に接続されてプロセッサ１０の動作に関する情報を記憶する。メモリ３０は、プロセッサ１０の内部又は外部に位置することができ、有線又は無線通信のような様々な技術によってプロセッサに接続されることができる。
【０１９４】
ユーザはキーパッド２０のボタンを押すことで、又はマイクロホン５０を用いた音声活性化のような様々な技術による様々なタイプの情報（例えば、電話番号のような指示情報）を入力することができる。プロセッサ１０は、ユーザの情報を受信及び／又は処理して、電話番号をダイヤルするなどの適宜な機能を行う。
【０１９５】
また、適宜な機能を行うために、ＳＩＭカード２５又はメモリ３０からデータ（例えば、操作データ）を検索することもできる。また、プロセッサ１０は、ＧＰＳチップからＧＰＳ情報を受信及び処理して、カーナビゲーション、マップサービスなどのような端末及び／又は基地局の位置情報を取得するか、位置情報に関する機能を行うことができる。また、プロセッサ１０は、ユーザの参照及び便宜のために、このような様々なタイプの情報及びデータをディスプレー１５上に表示してもよい。
【０１９６】
トランシーバ（Ｔｒａｎｓｃｅｉｖｅｒ）３５は、プロセッサ１０に接続されて、ＲＦ（Ｒａｄｉｏ  Ｆｒｅｑｕｅｎｃｙ）信号のような無線信号を送信及び／又は受信する。このとき、プロセッサ１０は、通信を開始して、音声通信データのような様々なタイプの情報又はデータを含む無線信号を送信するように、トランシーバ（Ｔｒａｎｓｃｅｉｖｅｒ）３５を制御することができる。トランシーバ（Ｔｒａｎｓｃｅｉｖｅｒ）３５は、無線信号を受信する受信器及び送信する送信器を含むことができる。アンテナ４０は、無線信号の送信及び受信を容易にする。一部の実施例において、無線信号を受信すると、トランシーバ（Ｔｒａｎｓｃｅｉｖｅｒ）３５はプロセッサ１０による処理のために、基底帯域周波数に信号フォワードして変換することができる。処理された信号は、可聴又は読み込み可能な情報に変換されるなど、様々な技術によって処理されることができ、この信号はスピーカ４５を介して出力されることができる。
【０１９７】
一部の実施例において、センサ又はプロセッサ１０に接続されてもよい。センサは、速度、加速度、光、振動などを含む様々なタイプの情報が検出できるように構成された１つ以上の検知装置を含むことができる。近接、位置、イメージなどのようにセンサから得られたセンサ情報をプロセッサ１０が受信して処理することで、衝突回避、自律走行などの各種の機能を行うことができる。
【０１９８】
一方、カメラ、ＵＳＢポートなどのような様々な構成要素が端末及び／又は基地局にさらに含まれてもよい。例えば、カメラがプロセッサ１０にさらに接続されてもよく、このカメラは、自律走行、車両安全サービスのような様々なサービスに利用できる。
【０１９９】
このように、図２２は、端末及び／又は基地局を構成する装置の一実施例に過ぎず、これに限定されるものではない。例えば、キーパッド２０、ＧＰＳ（Ｇｌｏｂａｌ  Ｐｏｓｉｔｉｏｎｉｎｇ  Ｓｙｓｔｅｍ）チップ、センサ、スピーカ４５及び／又はマイクロホン５０のような一部の構成要素は、一部の実施例において端末及び／又は基地局の具現のために除外されてもよい。
【０２００】
具体的に、本発明の実施例を具現するために、図２２に示した無線通信装置が、本発明の実施例による端末である場合の動作を説明する。この無線通信装置が本発明の実施例による端末である場合、プロセッサ１０は、活性ＢＷＰを第１のＢＷＰから第２のＢＷＰに変更するための第１の情報を含むＤＣＩを受信するようにトランシーバ３５を制御して、第２のＢＷＰのための設定に基づいてＤＣＩに含まれたＰＤＳＣＨスケジューリング関連情報を解釈して取得する。このとき、ＤＣＩに含まれたビットは、第１のＢＷＰのための設定に基づいて生成されるが、第２のＢＷＰで受信されるＰＤＳＣＨのためのスケジューリング情報を解釈するためには、第２のＢＷＰのための設定に基づくビットが必要であり、このようにＰＤＳＣＨスケジューリング情報を解釈するために必要なビット数と、実際に受信されたＤＣＩに含まれたビット数との不一致が発生した場合、図１乃至図２１及び〔表４〕乃至〔表５〕に基づいて説明された実施例に従ってＤＣＩを解釈し、ＰＤＳＣＨのためのスケジューリング情報を取得することができる。
【０２０１】
また、プロセッサ１０が図１乃至図２１及び〔表４〕乃至〔表５〕に基づいて説明された実施例に従ってＤＣＩ解釈によってＰＤＳＣＨスケジューリング情報を取得する場合、取得されたＰＤＳＣＨスケジューリング情報に基づいて第２のＢＷＰでＰＤＳＣＨを受信するようにトランシーバ３５を制御することができる。
【０２０２】
一方、本発明の実施例を具現するために、図１５に示した無線通信装置が本発明の実施例による基地局である場合、プロセッサ１０は、活性ＢＷＰを第１のＢＷＰから第２のＢＷＰに変更するための第１の情報を含むＤＣＩをＵＥに送信するようにトランシーバ３５を制御することができる。このとき、ＤＣＩは、活性ＢＷＰの変更の他にも、ＰＤＳＣＨをスケジューリングするための様々な情報を含むことができ、このとき、ＰＤＳＣＨは第２のＢＷＰで送信されるようにスケジューリングされてもよいが、ＤＣＩ生成の基準は、第１のＢＷＰのための設定となってもよい。即ち、ＤＣＩビットサイズは、第１のＢＷＰのための設定を基準として定められることができ、実際に第２のＢＷＰで送信されるＰＤＳＣＨをスケジューリングするために、ＵＥにとって必要なビットのサイズと一致しないことがある。よって、この不一致によって生じる各々ビットフィールドの解釈方法は、図１乃至図２１及び〔表４〕乃至〔表５〕に基づいて説明された実施例に従ってもよい。
【０２０３】
但し、第２のＢＷＰのために必要なビットサイズが実際に送信されたＤＣＩのビットサイズより大きい場合、基地局はこれを考慮して、第２のＢＷＰでＰＤＳＣＨをスケジューリングすることができる。即ち、プロセッサ１０は、ＵＥが第１のＢＷＰのための設定と第２のＢＷＰのための設定との不一致によって生じ得るＤＣＩのサイズの曖昧性（ａｍｂｉｇｕｉｔｙ）を考慮して、実際に送信されたＤＣＩのビットサイズで表現可能な範囲内で第２のＢＷＰにおけるＰＤＳＣＨをスケジューリングすることもできる。一方、基地局は、ＤＣＩに基づいて第２のＢＷＰでＰＤＳＣＨを送信するようにトランシーバ３５を制御することができる。
【０２０４】
以上説明してきた実施例は、本発明の構成要素及び特徴を所定形態に結合したものである。各構成要素又は特徴は、別の明示的な言及がない限り、選択的なものとして考慮される。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新たな請求項として含めたりできるということは明らかである。
【０２０５】
本文書で基地局によって行われるとした特定動作は、場合によってはその上位ノード（ｕｐｐｅｒ  ｎｏｄｅ）によって行われることもある。即ち、基地局を含む複数のネットワークノード（ｎｅｔｗｏｒｋ  ｎｏｄｅｓ）からなるネットワークにおいて端末との通信のために行われる様々な動作は、基地局又は基地局以外の他のネットワークノードによって行われ得ることは明らかである。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語にしてもよい。
【０２０６】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２０７】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０２０８】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０２０９】
上述のような下りリンクデータチャネルを送受信する方法及びそのための装置は、５世代ＮｅｗＲＡＴシステムに適用される例を中心として説明したが、５世代ＮｅｗＲＡＴシステムの他にも、様々な無線通信システムに適用することができる。
【図１】
2020516101.tif 000010
【図２】
2020516101.tif 000011
【図３】
2020516101.tif 000012
【図４】
2020516101.tif 000013
【図５】
2020516101.tif 000014
【図６】
2020516101.tif 000015
【図７】
2020516101.tif 000016
【図８】
2020516101.tif 000017
【図９】
2020516101.tif 000018
【図１０】
2020516101.tif 000019
【図１１】
2020516101.tif 000020
【図１２】
2020516101.tif 000021
【図１３】
2020516101.tif 000022
【図１４】
2020516101.tif 000023
【図１５】
2020516101.tif 000024
【図１６】
2020516101.tif 000025
【図１７】
2020516101.tif 000026
【図１８】
2020516101.tif 000027
【図１９】
2020516101.tif 000028
【図２０】
2020516101.tif 000029
【図２１】
2020516101.tif 000030
【図２２】
2020516101.tif 000031
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
無線通信システムにおいて、端末（ＵＥ）により実行される方法であって、
第１の下りリンク（ＤＬ）ＢＷＰ（Ｂａｎｄｗｉｄｔｈ  Ｐａｒｔ）において、
(i)アクティブ（Ａｃｔｉｖｅ：活性）ＤＬ  ＢＷＰを前記第１のＤＬ  ＢＷＰから第２のＤＬ  ＢＷＰに変更（スイッチング）することを指示するＢＷＰ変更情報と、及び、
(ii)  ＰＤＳＣＨ（Ｐｈｙｓｉｃａｌ  Ｄｏｗｎｌｉｎｋ  Ｓｈａｒｅｄ  Ｃｈａｎｎｅｌ）のための送信ブロック（Ｔｒａｎｓｍｉｓｓｉｏｎ  Ｂｌｏｃｋ；ＴＢ）に関する前記送信ブロック（ＴＢ）情報と、を含んでなるＤＣＩ（Ｄｏｗｎｌｉｎｋ  Ｃｏｎｔｒｏｌ  Ｉｎｆｏｒｍａｔｉｏｎ）を受信し；
前記第１のＤＬ  ＢＷＰにおいて前記ＰＤＳＣＨの為の最大１  ＴＢと、及び、前記第２のＤＬ  ＢＷＰにおいて前記ＰＤＳＣＨの為の最大２  ＴＢと、を受信するように設定された前記ＵＥ基づいて、
前記第２のＤＬ  ＢＷＰにおいて前記ＰＤＳＣＨの為に設定された前記最大２  ＴＢの中で唯一の一のＴＢに関する前記ＤＣＩにおける前記ＴＢ情報をプロセシングし、
前記ＢＷＰ変更情報及び前記ＴＢ情報に基づいて、前記第２のＤＬ  ＢＷＰにおいて前記ＰＤＳＣＨを受信することを含んでなる、方法。
【請求項２】
前記第２のＤＬ  ＢＷＰにおいて、前記ＰＤＳＣＨの為に設定された前記最大２  ＴＢの中で唯一の一のＴＢに関する前記ＤＣＩにおけるＴＢ情報をプロセシングすることが、
前記最大２  ＴＢの中で前記一のＴＢに関する第１のＴＢ情報をプロセシングし、及び
第２のＴＢ情報を決定することを含んでなり、
前記第２のＴＢ情報が、前記最大２  ＴＢの中で他のＴＢに関するものであり、ゼロ−パディング（ｚｅｒｏ−ｐａｄｄｉｎｇ）からなるものである、請求項１に記載の方法。
【請求項３】
前記第２のＤＬ  ＢＷＰにおいて、前記ＰＤＳＣＨの為に設定された前記最大２  ＴＢの中で前記唯一の一のＴＢに関する前記ＤＣＩにおけるＴＢ情報をプロセシングすることが、
前記最大２  ＴＢの中で前記一のＴＢに関する第１のＴＢ情報をプロセシングし、及び
前記最大２  ＴＢの中で他のＴＢに関する第２のＴＢ情報を無視する（ｉｇｎｏｒｉｎｇ）ことを含んでなる、請求項１に記載の方法。
【請求項４】
前記第２のＴＢ情報を無視することが、
前記最大２  ＴＢの中で、前記他のＴＢの為に、ＭＣＳ（Ｍｏｄｕｌａｔｉｏｎ  ａｎｄ  Ｃｏｄｉｎｇ  Ｓｃｈｅｍｅ）、ＮＤＩ（Ｎｅｗ  ｄａｔａ  Ｉｎｄｉｃａｔｏｒ）、及びＲＶ（Ｒｅｄｕｎｄａｎｃｙ  Ｖｅｒｓｉｏｎ）のためのビットフィールドを無視することにより、前記ＤＣＩにおいて前記ＴＢ情報をプロセシングすることである、請求項３に記載の方法。
【請求項５】
前記第２のＤＬ  ＢＷＰにおいて前記ＰＤＳＣＨの為に設定された前記最大２  ＴＢの中で唯一のＴＢに関する前記ＤＣＩにおけるＴＢ情報をプロセシングすることが、
前記最大２  ＴＢの中で前記一のＴＢに関する第１のＴＢ情報をプロセシングし、及び
第２のＴＢ情報を決定することを含んでなり、
前記第２のＴＢ情報が、前記最大２  ＴＢの中で他のＴＢに関するものであり、ディセーブル（Ｄｉｓａｂｌｅ）されるものである、請求項１に記載の方法。
【請求項６】
前記第１のＤＬ  ＢＷＰにおいて前記ＰＤＳＣＨの為の最大１  ＴＢと、及び、前記第２のＤＬ  ＢＷＰにおいて前記ＰＤＳＣＨの為の最大２  ＴＢとを、受信するように設定されてなるＵＥが、
第１のＲＲＣ−層シグナリングを介して前記ＵＥにより、１に等しい前記第１のＤＬ  ＢＷＰの為にＤＣＩパラメータによりスケジュールされた第１の最大ノルフコードワード（ｍａｘ  Ｎｒｏｆ  Ｃｏｄｅ  Ｗｏｒｄｓ  Ｓｃｈｅｄｕｌｅｄ  Ｂｙ  ＤＣＩ）を受信し、及び
第２のＲＲＣ−層シグナリングを介して前記ＵＥにより、２に等しい前記第２のＤＬ  ＢＷＰの為にＤＣＩパラメータによりスケジュールされた第２の最大ノルフコードワード（ｍａｘ  Ｎｒｏｆ  Ｃｏｄｅ  Ｗｏｒｄｓ  Ｓｃｈｅｄｕｌｅｄ  Ｂｙ  ＤＣＩ）を受信する、ことに基づくものである、請求項１に記載の方法。
【請求項７】
前記第２のＤＬ  ＢＷＰの為の送信設定指示（ＴＣＩ）は、前記ＤＣＩに関するＴＣＩ情報と同一である、請求項１に記載の方法。
【請求項８】
前記ＤＣＩに関するＴＣＩ情報は、前記ＤＣＩに関するＣＯＲＥＳＥＴ（Ｃｏｎｔｒｏｌ  Ｒｅｓｏｕｒｃｅ  Ｓｅｔ）のためのＴＣＩ情報を含んでなる、請求項７に記載の方法。
【請求項９】
前記第１のＤＬ  ＢＷＰは、周波数で連続している第１の複数のＰＲＢｓ（Ｐｈｙｓｉｃａｌ  ｒｅｓｏｕｃｅ  ｂｌｏｃｋｓ）からなり、
前記第２のＤＬ  ＢＷＰは、周波数で連続している第２の複数のＰＲＢｓ（Ｐｈｙｓｉｃａｌ  ｒｅｓｏｕｃｅ  ｂｌｏｃｋｓ）からなる、請求項１に記載の方法。
【請求項１０】
前記アクティブＤＬ  ＢＷＰは、周波数で連続している複数のＰＲＢｓ（Ｐｈｙｓｉｃａｌ  ｒｅｓｏｕｃｅ  ｂｌｏｃｋｓ）からなり、
前記ＵＥが前記ＰＤＳＣＨを受信するように設定されてなる、請求項１に記載の方法。
【請求項１１】
無線通信システムにおいて操作する為の端末（ＵＥ）を制御するように設定された、装置であって、
少なくとも１つのプロセッサ；及び
少なくとも１つのメモリ；を備えてなり、
前記少なくとも１つのメモリは、前記少なくとも１つのプロセッサに動作可能に結合可能なものであり、前記少なくとも１つのプロセッサによって実行される場合に、以下の動作を実行する命令を格納するものであり、
前記動作が、
第１の下りリンク（ＤＬ）ＢＷＰ（Ｂａｎｄｗｉｄｔｈ  Ｐａｒｔ）において、
(i)アクティブ（Ａｃｔｉｖｅ：活性）ＤＬ  ＢＷＰを前記第１のＤＬ  ＢＷＰから第２のＤＬ  ＢＷＰに変更（スイッチング）することを指示するＢＷＰ変更情報と、及び、
(ii)  ＰＤＳＣＨ（Ｐｈｙｓｉｃａｌ  Ｄｏｗｎｌｉｎｋ  Ｓｈａｒｅｄ  Ｃｈａｎｎｅｌ）のための送信ブロック（Ｔｒａｎｓｍｉｓｓｉｏｎ  Ｂｌｏｃｋ；ＴＢ）に関する前記送信ブロック（ＴＢ）情報と、を含んでなるＤＣＩ（Ｄｏｗｎｌｉｎｋ  Ｃｏｎｔｒｏｌ  Ｉｎｆｏｒｍａｔｉｏｎ）を受信し；
前記第１のＤＬ  ＢＷＰにおいて前記ＰＤＳＣＨの為の最大１  ＴＢと、及び、前記第２のＤＬ  ＢＷＰにおいて前記ＰＤＳＣＨの為の最大２  ＴＢと、を受信するように設定された前記ＵＥ基づいて、
前記第２のＤＬ  ＢＷＰにおいて前記ＰＤＳＣＨの為に設定された前記最大２  ＴＢの中で唯一の一のＴＢに関する前記ＤＣＩにおける前記ＴＢ情報をプロセシングし、
前記ＢＷＰ変更情報及び前記ＴＢ情報に基づいて、前記第２のＤＬ  ＢＷＰにおいて前記ＰＤＳＣＨを受信することを含んでなる、装置。
【請求項１２】
前記第２のＤＬ  ＢＷＰにおいて、前記ＰＤＳＣＨの為に設定された前記最大２  ＴＢの中で唯一の一のＴＢに関する前記ＤＣＩにおけるＴＢ情報をプロセシングすることが、
前記最大２  ＴＢの中で前記一のＴＢに関する第１のＴＢ情報をプロセシングし、及び
第２のＴＢ情報を決定することを含んでなり、
前記第２のＴＢ情報が、前記最大２  ＴＢの中で他のＴＢに関するものであり、ゼロ−パディング（ｚｅｒｏ−ｐａｄｄｉｎｇ）からなるものである、請求項１１に記載の装置。
【請求項１３】
前記第２のＤＬ  ＢＷＰにおいて、前記ＰＤＳＣＨの為に設定された前記最大２  ＴＢの中で前記唯一の一のＴＢに関する前記ＤＣＩにおけるＴＢ情報をプロセシングすることが、
前記最大２  ＴＢの中で前記一のＴＢに関する第１のＴＢ情報をプロセシングし、及び
前記最大２  ＴＢの中で他のＴＢに関する第２のＴＢ情報を無視する（ｉｇｎｏｒｉｎｇ）ことを含んでなる、請求項１１に記載の装置。
【請求項１４】
前記第２のＴＢ情報を無視することが、
前記最大２  ＴＢの中で、前記他のＴＢの為に、ＭＣＳ（Ｍｏｄｕｌａｔｉｏｎ  ａｎｄ  Ｃｏｄｉｎｇ  Ｓｃｈｅｍｅ）、ＮＤＩ（Ｎｅｗ  ｄａｔａ  Ｉｎｄｉｃａｔｏｒ）、及びＲＶ（Ｒｅｄｕｎｄａｎｃｙ  Ｖｅｒｓｉｏｎ）のためのビットフィールドを無視することにより、前記ＤＣＩにおいて前記ＴＢ情報をプロセシングすることである、請求項１３に記載の装置。
【請求項１５】
前記第１のＤＬ  ＢＷＰにおいて前記ＰＤＳＣＨの為の最大１  ＴＢと、及び、前記第２のＤＬ  ＢＷＰにおいて前記ＰＤＳＣＨの為の最大２  ＴＢとを、受信するように設定されてなるＵＥが、
第１のＲＲＣ−層シグナリングを介して前記ＵＥにより、１に等しい前記第１のＤＬ  ＢＷＰの為にＤＣＩパラメータによりスケジュールされた第１の最大ノルフコードワード（ｍａｘ  Ｎｒｏｆ  Ｃｏｄｅ  Ｗｏｒｄｓ  Ｓｃｈｅｄｕｌｅｄ  Ｂｙ  ＤＣＩ）を受信し、及び
第２のＲＲＣ−層シグナリングを介して前記ＵＥにより、２に等しい前記第２のＤＬ  ＢＷＰの為にＤＣＩパラメータによりスケジュールされた第２の最大ノルフコードワード（ｍａｘ  Ｎｒｏｆ  Ｃｏｄｅ  Ｗｏｒｄｓ  Ｓｃｈｅｄｕｌｅｄ  Ｂｙ  ＤＣＩ）を受信する、ことに基づくものである、請求項１１に記載の装置。
【請求項１６】
無線通信システムにおいて操作する為に設定された、端末（ＵＥ）であって、
トランシーバ；及び
少なくとも１つのプロセッサ；及び
少なくとも１つのメモリ；を備えてなり、
前記少なくとも１つのメモリは、前記少なくとも１つのプロセッサに動作可能に結合可能なものであり、前記少なくとも１つのプロセッサによって実行される場合に、以下の動作を実行する命令を格納するものであり、
前記動作が、
第１の下りリンク（ＤＬ）ＢＷＰ（Ｂａｎｄｗｉｄｔｈ  Ｐａｒｔ）において、
(i)アクティブ（Ａｃｔｉｖｅ：活性）ＤＬ  ＢＷＰを前記第１のＤＬ  ＢＷＰから第２のＤＬ  ＢＷＰに変更（スイッチング）することを指示するＢＷＰ変更情報と、及び、
(ii)  ＰＤＳＣＨ（Ｐｈｙｓｉｃａｌ  Ｄｏｗｎｌｉｎｋ  Ｓｈａｒｅｄ  Ｃｈａｎｎｅｌ）のための送信ブロック（Ｔｒａｎｓｍｉｓｓｉｏｎ  Ｂｌｏｃｋ；ＴＢ）に関する前記送信ブロック（ＴＢ）情報と、を含んでなるＤＣＩ（Ｄｏｗｎｌｉｎｋ  Ｃｏｎｔｒｏｌ  Ｉｎｆｏｒｍａｔｉｏｎ）を受信し；
前記第１のＤＬ  ＢＷＰにおいて前記ＰＤＳＣＨの為の最大１  ＴＢと、及び、前記第２のＤＬ  ＢＷＰにおいて前記ＰＤＳＣＨの為の最大２  ＴＢと、を受信するように設定された前記ＵＥ基づいて、
前記第２のＤＬ  ＢＷＰにおいて前記ＰＤＳＣＨの為に設定された前記最大２  ＴＢの中で唯一の一のＴＢに関する前記ＤＣＩにおける前記ＴＢ情報をプロセシングし、
前記ＢＷＰ変更情報及び前記ＴＢ情報に基づいて、前記第２のＤＬ  ＢＷＰにおいて前記ＰＤＳＣＨを受信することを含んでなる、端末。
【請求項１７】
前記第２のＤＬ  ＢＷＰにおいて、前記ＰＤＳＣＨの為に設定された前記最大２  ＴＢの中で唯一の一のＴＢに関する前記ＤＣＩにおけるＴＢ情報をプロセシングすることが、
前記最大２  ＴＢの中で前記一のＴＢに関する第１のＴＢ情報をプロセシングし、及び
第２のＴＢ情報を決定することを含んでなり、
前記第２のＴＢ情報が、前記最大２  ＴＢの中で他のＴＢに関するものであり、ゼロ−パディング（ｚｅｒｏ−ｐａｄｄｉｎｇ）からなるものである、請求項１６に記載の端末。
【請求項１８】
前記第２のＤＬ  ＢＷＰにおいて、前記ＰＤＳＣＨの為に設定された前記最大２  ＴＢの中で前記唯一の一のＴＢに関する前記ＤＣＩにおけるＴＢ情報をプロセシングすることが、
前記最大２  ＴＢの中で前記一のＴＢに関する第１のＴＢ情報をプロセシングし、及び
前記最大２  ＴＢの中で他のＴＢに関する第２のＴＢ情報を無視する（ｉｇｎｏｒｉｎｇ）ことを含んでなる、請求項１６に記載の端末。
【請求項１９】
前記第２のＴＢ情報を無視することが、
前記最大２  ＴＢの中で、前記他のＴＢの為に、ＭＣＳ（Ｍｏｄｕｌａｔｉｏｎ  ａｎｄ  Ｃｏｄｉｎｇ  Ｓｃｈｅｍｅ）、ＮＤＩ（Ｎｅｗ  ｄａｔａ  Ｉｎｄｉｃａｔｏｒ）、及びＲＶ（Ｒｅｄｕｎｄａｎｃｙ  Ｖｅｒｓｉｏｎ）のためのビットフィールドを無視することにより、前記ＤＣＩにおいて前記ＴＢ情報をプロセシングすることである、請求項１８に記載の端末。
【請求項２０】
前記第１のＤＬ  ＢＷＰにおいて前記ＰＤＳＣＨの為の最大１  ＴＢと、及び、前記第２のＤＬ  ＢＷＰにおいて前記ＰＤＳＣＨの為の最大２  ＴＢとを、受信するように設定されてなるＵＥが、
第１のＲＲＣ−層シグナリングを介して前記ＵＥにより、１に等しい前記第１のＤＬ  ＢＷＰの為にＤＣＩパラメータによりスケジュールされた第１の最大ノルフコードワード（ｍａｘ  Ｎｒｏｆ  Ｃｏｄｅ  Ｗｏｒｄｓ  Ｓｃｈｅｄｕｌｅｄ  Ｂｙ  ＤＣＩ）を受信し、及び
第２のＲＲＣ−層シグナリングを介して前記ＵＥにより、２に等しい前記第２のＤＬ  ＢＷＰの為にＤＣＩパラメータによりスケジュールされた第２の最大ノルフコードワード（ｍａｘ  Ｎｒｏｆ  Ｃｏｄｅ  Ｗｏｒｄｓ  Ｓｃｈｅｄｕｌｅｄ  Ｂｙ  ＤＣＩ）を受信する、ことに基づくものである、請求項１６に記載の端末。
【国際調査報告】
2020516101.tif 000032
2020516101.tif 000033
2020516101.tif 000034
2020516101.tif 000035